(57)【特許請求の範囲】
【請求項１】
テープカセットに収納されているビデオテープ上の最終記録位置を表す最終記録位置情報又は、当該最終記録位置情報に加えて録画開始位置を表す録画開始位置情報及び／又は最後に記録した位置を表す最後記録位置情報とを、前記テープカセットに搭載されたメモリＩＣに記憶する手段と、
該メモリＩＣに記憶された最終記録位置情報を読み出す読出手段と、
画像音声信号記録再生装置の記録再生動作を待機状態に設定するための指令を入力する待機指令入力手段と、
記録再生動作を開始させるための指令を入力する開始指令入力手段と、
ビデオテープの走行を制御する走行制御手段とを備え、
前記待機指令入力手段又は前記開始指令入力手段のいずれかの指令の入力動作に応じて、前記読出手段は、メモリＩＣに記憶されている前記最終記録位置情報又は、当該最終記録位置情報に加えて録画開始位置を表す録画開始位置情報及び／又は最後に記録した位置を表す最後記録位置情報を読み出し、
前記走行制御手段は、前記読出手段により読み出された前記最終記録位置情報又は、当該最終記録位置情報に加えて録画開始位置を表す録画開始位置情報及び／又は最後に記録した位置を表す最後記録位置情報に基づいてビデオテープを前記録画開始位置又は、前記最終記録位置又は、最後記録位置まで走行させることを特徴とする画像音声信号記録再生装置。
【請求項２】
前記テープカセットは、内部に収納されたビデオテープにヘリカルトラックを形成して画像信号及び音声信号の記録再生が行われ、該ビデオテープの全長に関するデータを記録する部分を備え、かつ、該データは、該ビデオテープの全長にわたって所定の記録モードにおけるトラックピッチで記録を行った場合のトラック本数の総数、もしくは該トラック本数の総数を表す記号により表現されるものであることを特徴とする請求項１記載の画像音声信号記録再生装置。
【請求項３】
前記テープカセットは、ビデオテープの全長に関するデータをテープカセット表面に表記することによって該データが記録されることを特徴とする請求項１記載の画像音声信号記録再生装置。
【請求項４】
前記メモリＩＣは、基本的な付随データを記憶する第１の記憶領域と、オプショナルな付随データを記憶する第２の記憶領域とを備え、
前記最後記録位置情報は、該第２の記憶領域における先頭位置に記憶されることを特徴とする請求項１記載の画像音声信号記録再生装置。
【請求項５】
テープカセットに収納されているビデオテープ上の最終記録位置を表す最終記録位置情報又は、当該最終記録位置情報に加えて録画開始位置を表す録画開始位置情報及び／又は最後に記録した位置を表す最後記録位置情報を、前記テープカセットに搭載されたメモリＩＣに記憶する手段と、
記録指令を入力するための記録指令入力手段と、
上記メモリＩＣに記憶されている最終記録位置情報又は、当該最終記録位置情報に加えて録画開始位置を表す録画開始位置情報及び／又は最後に記録した位置を表す最後記録位置情報を読み出す読出手段と、
ビデオテープ上の記録開始位置を決定する位置決定手段とを備え、
前記記録指令入力手段による記録指令の入力動作に応じて、前記読出手段は、メモリＩＣに記憶されている前記最終記録位置情報又は、当該最終記録位置情報に加えて録画開始位置を表す録画開始位置情報及び／又は最後に記録した位置を表す最後記録位置情報を読み出し、
前記位置決定手段は、前記読出手段により読み出された前記最終記録位置情報又は、当該最終記録位置情報に加えて録画開始位置を表す録画開始位置情報及び／又は最後に記録した位置を表す最後記録位置情報に基づいて、ビデオテープ上における記録開始位置を決定することを特徴とする画像音声信号記録再生装置。
【請求項６】
前記テープカセットは、内部に収納されたビデオテープにヘリカルトラックを形成して画像信号及び音声信号の記録再生が行われ、該ビデオテープの全長に関するデータを記録する部分を備え、かつ、該データは、該ビデオテープの全長にわたって所定の記録モードにおけるトラックピッチで記録を行った場合のトラック本数の総数、もしくは該トラック本数の総数を表す記号により表現されるものであることを特徴とする請求項５記載の画像音声信号記録再生装置。
【請求項７】
前記テープカセットは、ビデオテープの全長に関するデータをテープカセット表面に表記することによって該データが記録されることを特徴とする請求項５記載の画像音声信号記録再生装置。
【請求項８】
前記メモリＩＣは、基本的な付随データを記憶する第１の記憶領域と、オプショナルな付随データを記憶する第２の記憶領域とを備え、
前記最後記録位置情報は、該第２の記憶領域における先頭位置に記憶されることを特徴とする請求項５記載の画像音声信号記録再生装置。
【請求項９】
前記最終記録位置情報は、該最終記録位置における記録モードの識別情報を有していることを特徴とする請求項１または５記載の画像音声信号記録再生装置。
【請求項１０】
テープカセットに収納されたビデオテープ上における位置を規定する位置規定信号を該ビデオテープ上に記録再生する手段と、
該ビデオテープ上における画像信号及び音声信号の記録再生動作の開始位置を示す記録再生開始位置情報を、前記テープカセットに搭載されたメモリＩＣに記憶する開始位置情報記憶手段とを備えていることを特徴とする画像音声信号記録再生装置。
【請求項１１】
前記テープカセットは、内部に収納されたビデオテープにヘリカルトラックを形成して画像信号及び音声信号の記録再生が行われ、該ビデオテープの全長に関するデータを記録する部分を備え、かつ、該データは、該ビデオテープの全長にわたって所定の記録モードにおけるトラックピッチで記録を行った場合のトラック本数の総数、もしくは該トラック本数の総数を表す記号により表現されるものであることを特徴とする請求項１０記載の画像音声信号記録再生装置。
【請求項１２】
前記テープカセットは、ビデオテープの全長に関するデータをテープカセット表面に表記することによって該データが記録されることを特徴とする請求項１０記載の画像音声信号記録再生装置。
【請求項１３】
ビデオテープ上における画像信号及び音声信号の再生開始位置を指定するための再生開始位置指定手段と、
再生開始位置情報生成手段とを備え、
該再生開始位置情報生成手段は、再生開始位置指定手段操作時のビデオテープ再生位置から再生された位置規定信号に基づいて再生開始位置情報を生成し、開始位置情報記憶手段は、該生成された再生開始位置情報をメモリＩＣに記憶するものであることを特徴とする請求項１０記載の画像音声信号記録再生装置。
【請求項１４】
再生動作を再開させるための指令を入力する再開指令入力手段と、
メモリＩＣに記憶された再生開始位置情報を読み出す読出手段とを備え、
該読出手段は、該再開指令入力手段による再開指令の入力動作に応じてメモリＩＣから再生開始位置情報を読み出し、該再生開始位置情報の表す開始位置から画像信号及び音声信号の再生動作が再開されることを特徴とする請求項１３記載の画像音声信号記録再生装置。
【請求項１５】
ビデオテープ上における画像信号及び音声信号の記録開始位置を指定するための記録開始位置指定手段と、
記録開始位置情報生成手段とを備え、
該記録開始位置情報生成手段は、記録開始位置指定手段操作時のビデオテープ再生位置から再生された位置規定信号に基づいて記録開始位置情報を生成し、開始位置情報記憶手段は、該生成された記録開始位置情報をメモリＩＣに記憶するものであることを特徴とする請求項１０記載の画像音声信号記録再生装置。
【発明の詳細な説明】
【０００１】
【産業上の利用分野】
本発明は、画像信号及び音声信号を記録再生するテープカセット、並びにかかるテープカセットを用いて画像信号及び音声信号の記録再生を行う画像音声信号記録再生装置に関する。
【０００２】
【従来の技術】
従来、民生用のＶＴＲにおいてタイマー録画予約を行う場合には、テープセット時にテープの早送り、巻き戻し、再生等の動作を行って正しい録画開始位置を見つけだす必要があり、これを行わない場合には、消去したくない録画部分を誤って消してしまう恐れがあった。
【０００３】
また、従来の民生用のカメラ一体形ビデオカセットレコーダー（以下、カムコーダーという）では、撮影したあと巻き戻して再生し、再び記録最終位置から続けて記録するときには、そのポイントを探すのに手間がかかるという問題があった。例えば、エディットサーチ機能を用いてポイントを探す場合には、その近傍でなければなかなか元に戻れないので、カムコーダーをＶＴＲモードに切り換えてビューファインダーで再生画像を見ながらそのポイント近くまでもっていき、再びカメラモードにしてエディットサーチ機能を用いてポイントを探すという作業を何回も繰り返すことが多かった。更に、特定の人が撮影したあと巻き戻して再生しそのままにしておいたテープを、別の人がそれを知らずに最終記録位置だと思って続けて記録した場合には、大切な録画部分が失われてしまうという問題もあった。
【０００４】
また、録画しておいたテープを再生して複数人で見るときには次のような問題も発生する。例えば、複数人で再生画像を見ている最中に、特定の人だけが中座し、その後、中座した人が戻ってきて続きの再生画面を見ようとするときには、テープの巻き戻し、再生等を繰り返して続きの場面を探し出さねばならなかった。この場合、従来のＶＴＲでは、カウンターリセットボタンを押してそのポイントを覚えておく方法を採用しているものもあるが、これはあくまでもそのカセットをイジェクトしないことが前提となっているので、残った人が別のテープを装填してその再生画像を見ていた場合には、このような方法は用をなさないものとなる。
【０００５】
更に、８ミリカムコーダーの場合には、記録していたテープを取り出さない限り録画のつなぎ目部分はきれいであるが、１度でも取り出してしまうと、そこのつなぎ目部分は乱れたものとなってしまうので、その時はいちいち頭出し処理を行ってから録画動作を開始しなければつなぎ目部分できれいな画像が得られないという問題があった。
【０００６】
以上のようなＶＴＲにおける動作開始位置の設定の問題の外に、現在、特に研究開発の盛んなディジタル記録方式による民生用のビデオカセットレコーダー（ＶＣＲという）に関連して次のような問題も考えられている。
即ち、上記の民生用のディジタルＶＣＲは、５２５／６０システム或るいは６２５／５０システムのテレビジョン信号の記録再生を可能とするものであるが、これに加え、更に、１１２５／６０システム或るいは１２５０／５０システムのテレビジョン信号の記録再生もできるように記録フォーマットが構成されている。
【０００７】
ところで、このように同じテープカセットを用いて多種多様な方式のテレビジョン信号の記録再生を可能ならしめた場合には、市販されるテープカセットについて、その記録容量をどのように表示するかという問題がある。従来のアナログＶＴＲ用のテープカセットであれば、記録時間はＳＰモードとＬＰモードの２つの場合を考えるのみでよいが、上記のディジタルＶＣＲ用のカセットテープにおいては、記録モード（ＳＰ／ＬＰ）による記録時間の変化に加え、どのシステムのテレビジョン信号が記録されるかに応じて記録時間が異なることとなり、このように記録時間を多種多様な使用モードに場合分けしてそれぞれ表記することは、カセットサイズの小さな点から見て困難であり、また、このように多くの情報を表記してもそのためにかえってユーザーが間違える可能性も高くなると思われる。
本願発明は、このような点にかんがみて成されたものである。
【０００８】
【発明が解決しようとする課題】
画像音声信号記録再生装置において記録再生を行う際の記録開始位置或るいは再生開始位置の設定を容易に行うことができるようにする。
また、種々のシステムのテレビジョン信号の記録再生が可能である記録フォーマットを備えた画像音声信号記録再生装置の記録媒体として使用されるビデオテープについて、その記録容量の簡潔な表示を可能とする。
【０００９】
【課題を解決するための手段】
請求項１に係る発明は、テープカセットに収納されているビデオテープ上の最終記録位置を表す最終記録位置情報又は、当該最終記録位置情報に加えて録画開始位置を表す録画開始位置情報及び／又は最後に記録した位置を表す最後記録位置情報とを、前記テープカセットに搭載されたメモリＩＣに記憶する手段と、該メモリＩＣに記憶された最終記録位置情報を読み出す読出手段と、画像音声信号記録再生装置の記録再生動作を待機状態に設定するための指令を入力する待機指令入力手段と、記録再生動作を開始させるための指令を入力する開始指令入力手段と、ビデオテープの走行を制御する走行制御手段とを備え、前記待機指令入力手段又は前記開始指令入力手段のいずれかの指令の入力動作に応じて、前記読出手段は、メモリＩＣに記憶されている前記最終記録位置情報又は、当該最終記録位置情報に加えて録画開始位置を表す録画開始位置情報及び／又は最後に記録した位置を表す最後記録位置情報を読み出し、前記走行制御手段は、前記読出手段により読み出された前記最終記録位置情報又は、当該最終記録位置情報に加えて録画開始位置を表す録画開始位置情報及び／又は最後に記録した位置を表す最後記録位置情報に基づいてビデオテープを前記録画開始位置又は、前記最終記録位置又は、最後記録位置まで走行させるものである。
【００１０】
この場合、テープカセットは、内部に収納されたビデオテープにヘリカルトラックを形成して画像信号及び音声信号の記録再生が行われ、該ビデオテープの全長に関するデータを記録する部分を備え、かつ、該データは、該ビデオテープの全長にわたって所定の記録モードにおけるトラックピッチで記録を行った場合のトラック本数の総数、もしくは該トラック本数の総数を表す記号により表現されるのが好適である。
また、テープカセットは、ビデオテープの全長に関するデータをテープカセット表面に表記するのが好適である。
さらに、メモリＩＣは、基本的な付随データを記憶する第１の記憶領域と、オプショナルな付随データを記憶する第２の記憶領域とを備え、かつ、最後記録位置情報は、該第２の記憶領域における先頭位置に記憶されるように構成するのが好適である。
【００１１】
請求項５に係る発明は、テープカセットに収納されているビデオテープ上の最終記録位置を表す最終記録位置情報又は、当該最終記録位置情報に加えて録画開始位置を表す録画開始位置情報及び／又は最後に記録した位置を表す最後記録位置情報を、前記テープカセットに搭載されたメモリＩＣに記憶する手段と、記録指令を入力するための記録指令入力手段と、上記メモリＩＣに記憶されている最終記録位置情報又は、当該最終記録位置情報に加えて録画開始位置を表す録画開始位置情報及び／又は最後に記録した位置を表す最後記録位置情報を読み出す読出手段と、ビデオテープ上の記録開始位置を決定する位置決定手段とを備え、前記記録指令入力手段による記録指令の入力動作に応じて、前記読出手段は、メモリＩＣに記憶されている前記最終記録位置情報又は、当該最終記録位置情報に加えて録画開始位置を表す録画開始位置情報及び／又は最後に記録した位置を表す最後記録位置情報を読み出し、前記位置決定手段は、前記読出手段により読み出された前記最終記録位置情報又は、当該最終記録位置情報に加えて録画開始位置を表す録画開始位置情報及び／又は最後に記録した位置を表す最後記録位置情報に基づいて、ビデオテープ上における記録開始位置を決定するように構成されている。
【００１２】
この場合、テープカセットは、内部に収納されたビデオテープにヘリカルトラックを形成して画像信号及び音声信号の記録再生が行われ、該ビデオテープの全長に関するデータを記録する部分を備え、かつ、該データは、該ビデオテープの全長にわたって所定の記録モードにおけるトラックピッチで記録を行った場合のトラック本数の総数、もしくは該トラック本数の総数を表す記号により表現されるのが好適である。
また、テープカセットは、ビデオテープの全長に関するデータをテープカセット表面に表記するのが好適である。
さらに、メモリＩＣは、基本的な付随データを記憶する第１の記憶領域と、オプショナルな付随データを記憶する第２の記憶領域とを備え、かつ、最後記録位置情報は、該第２の記憶領域における先頭位置に記憶されるように構成するのが好適である。
【００１３】
請求項４、または５にかかる発明においては、最終記録位置情報が、該最終記録位置における記録モードの識別情報を有するようにするのが望ましい。
【００１４】
請求項１０に係る発明は、テープカセットに収納されたビデオテープ上における位置を規定する位置規定信号を該ビデオテープ上に記録再生する手段と、該ビデオテープ上における画像信号及び音声信号の記録再生動作の開始位置を示す記録再生開始位置情報を、前記テープカセットに搭載されたメモリＩＣに記憶する開始位置情報記憶手段とにより構成されている。
この場合、テープカセットは、内部に収納されたビデオテープにヘリカルトラックを形成して画像信号及び音声信号の記録再生が行われ、該ビデオテープの全長に関するデータを記録する部分を備え、かつ、該データは、該ビデオテープの全長にわたって所定の記録モードにおけるトラックピッチで記録を行った場合のトラック本数の総数、もしくは該トラック本数の総数を表す記号により表現されるのが好適である。
また、テープカセットは、ビデオテープの全長に関するデータをテープカセット表面に表記するのが好適である。
【００１５】
この場合さらに、ビデオテープ上における画像信号及び音声信号の再生開始位置を指定するための再生開始位置指定手段と、再生開始位置情報生成手段とを備え、該再生開始位置情報生成手段は、再生開始位置指定手段操作時のビデオテープ再生位置から再生された位置規定信号に基づいて再生開始位置情報を生成し、開始位置情報記憶手段は、該生成された再生開始位置情報をメモリＩＣに記憶するように構成することができる。
【００１６】
あるいは、再生動作を再開させるための指令を入力する再開指令入力手段と、メモリＩＣに記憶された再生開始位置情報を読み出す読出手段とを備え、該読出手段は、該再開指令入力手段による再開指令の入力動作に応じてメモリＩＣから再生開始位置情報を読み出し、該再生開始位置情報の表す開始位置から画像信号及び音声信号の再生動作が再開されるように構成することもできる。
【００１７】
さらに別の構成例としては、ビデオテープ上における画像信号及び音声信号の記録開始位置を指定するための記録開始位置指定手段と、記録開始位置情報生成手段とを備え、該記録開始位置情報生成手段は、記録開始位置指定手段操作時のビデオテープ再生位置から再生された位置規定信号に基づいて記録開始位置情報を生成し、開始位置情報記憶手段は、該生成された記録開始位置情報をメモリＩＣに記憶するように構成することもできる。
【００１８】
【作用】
カセットテープの記録容量を簡潔に把握することができる。
記録再生の開始位置をテープカセット自身に記憶させておくことができる。また、テープ上の最終記録位置或るいは最後記録位置から自動的に記録再生を開始させることができる。その場合、テープカセットに記憶された最後記録位置情報のサーチ動作が迅速に行われると共に、最終記録位置から記録動作を開始するときは、サーボの立ち上がりを早くすることができる。
【００１９】
【実施例】
本発明をヘリカルスキャン形式をとる画像圧縮記録方式民生用ディジタルＶＴＲ（以下、ディジタルＶＴＲと言う）に適用した場合の実施例について、次の項目に従って順次説明する。
【００２０】
１．  ディジタルＶＴＲの概要
１─１．  ディジタルＶＴＲの記録フォーマット
（１）  ＩＴＩエリア
（２）  ＡＵＤＩＯエリア
（３）  ＶＩＤＥＯエリア
（４）  ＳＵＢＣＯＤＥエリア
（５）  ＩＤ部の構造
（６）  ＭＩＣ
（７）  パックの構造及び種類
（８）  付随情報記録エリアの構造
１─２．  ディジタルＶＴＲの記録回路
１─３．  ディジタルＶＴＲの再生回路
２．  アプリケーションＩＤシステム
３．  記録・再生開始位置の制御
３─１．  ＴＡＧパックのみを使用する方法
３─２．  複数パックからなるイベントを使用する方法
【００２１】
１．  ディジタルＶＴＲの概要
まず、本実施例を構成するディジタルＶＴＲの概要について、その記録フォーマット、記録回路、再生回路の順に説明する。
【００２２】
１─１．  ディジタルＶＴＲの記録フォーマット
かかるディジタルＶＴＲのテープ上の記録フォーマットを図３１に示す。
この図において、トラックの両端にはマージンが設けられる。そして、その内側には記録始端側から、アフレコを確実に行うためのＩＴＩエリア、音声信号を記録するＡＵＤＩＯエリア、画像信号を記録するＶＩＤＥＯエリア、副次的データを記録するためのＳＵＢＣＯＤＥエリアが設けられる。なお各エリアの間には、エリア確保のためのインターブロックギャップ（ＩＢＧ）が設けられる。
【００２３】
次に上記の各エリアに記録される信号の詳細を説明する。
（１）  ＩＴＩエリア
ＩＴＩエリアは図３１の拡大部分に示されているように、１４００ビットのプリアンブル、１８３０ビットのＳＳＡ（Ｓｔａｒｔ−Ｓｙｎｃ  Ｂｌｏｃｋ  Ａｒｅａ）、９０ビットのＴＩＡ（Ｔｒａｃｋ  Ｉｎｆｏｒｍａｔｉｏｎ  Ａｒｅａ）及び２８０ビットのポストアンブルから構成されている。
【００２４】
ここで、プリアンブルは再生時のＰＬＬのランイン等の機能を持ち、ポストアンブルはマージンを稼ぐための役割を持つ。そして、ＳＳＡ及びＴＩＡは、３０ビットのブロックデータを単位として構成されており、各ブロックデータの先頭１０ビットには所定のＳＹＮＣパターン（ＩＴＩ−ＳＹＮＣ）が記録される。
【００２５】
このＳＹＮＣパターンに続く２０ビットの部分には、ＳＳＡにおいては主にＳＹＮＣブロック番号（０〜６０）が記録され、また、ＴＩＡにおいては主に３ビットのＡＰＴ情報（ＡＰＴ２〜ＡＰＯ）、記録モードを識別するＳＰ／ＬＰフラグ、及びサーボシステムの基準フレームを示すＰＦフラグが記録される。なお、ＡＰＴはトラック上のデータ構造を規定するＩＤデータであり、本実施例のディジタルＶＴＲでは値「０００」をとる。
【００２６】
以上の説明から分かるように、ＩＴＩエリアには３０ビットという短いコード長のブロックデータが磁気テープ上の固定された位置に多数記録されているので、再生データから例えばＳＳＡの６１番目のＳＹＮＣパターンが検出された位置をトラック上のアフレコ位置を規定する基準として使用することにより、アフレコ時に書換えられる位置を高精度に規定し、良好なアフレコを行うことができる。なお、本実施例のディジタルＶＴＲは、後述するように外の種々のディジタル信号記録再生装置へ容易に商品展開できるように設計されているが、どのようなディジタル信号記録再生装置においても特定のエリアのデータの書換えは必要となるので、このトラック入口側のＩＴＩエリアは必ず設けられている。
【００２７】
（２）  ＡＵＤＩＯエリア
オーディオエリアは、図３１の拡大部分に示されるように、その前後にプリアンブルとポストアンブルを有しており、プリアンブルはＰＬＬ引き込み用のランアップ、及びオーディオＳＹＮＣブロックの前検出のためのプリＳＹＮＣから構成されている。また、ポストアンブルは、オーディオエリアの終了を確認するためのポストＳＹＮＣと、ビデオデータアフレコ時にオーディオエリアを保護するためのガードエリアとから構成されている。
【００２８】
ここで、プリＳＹＮＣ及びポストＳＹＮＣの各ＳＹＮＣブロックは、図３２の（１）及び（２）に示すように構成され、プリＳＹＮＣはＳＹＮＣブロック２個から、ポストＳＹＮＣはＳＹＮＣブロック１個から構成されている。そして、プリＳＹＮＣの６バイト目には、ＳＰ／ＬＰの識別バイトが記録される。これはＦＦｈでＳＰ、ＯＯｈでＬＰを表し、前述のＩＴＩエリアに記録されたＳＰ／ＬＰフラグが読み取り不可の時にはこのプリＳＹＮＣのＳＰ／ＬＰの識別バイトの値が採用される（ｈは１６進数表示であることを示す）。
【００２９】
以上のようなアンブルエリアに挟まれたエリアに記録されるオーディオデータは次のようにして生成される。
まず、記録すべき１トラック分の音声信号は、ＡＤ変換及びシャフリングを施された後フレーミングが行われ、更にパリティを付加される。このフレーミングを行ってパリティを付加したフォーマットを図３３の（１）に示す。この図において、７２バイトのオーディオデータの先頭に５バイトの音声付随データ（これをＡＡＵＸデータと言う）を付加して１ブロック７７バイトのデータを形成し、これを垂直に９ブロック積み重ねてフレーミングを行い、これに８ビットの水平パリティＣ１とブロック５個分に相当すると垂直パリティＣ２とが付加される。
【００３０】
これらのパリティが付加されたデータは各ブロック単位で読み出されて、各ブロックの先頭側に３バイトのＩＤを付加され、更に、記録変調回路において２バイトのＳＹＮＣ信号を挿入されて、図３３の（２）に示されるようなデータ長９０バイトの１ＳＹＮＣブロックの信号へ成形される。そして、この信号がテープに記録される。
【００３１】
（３）  ＶＩＤＥＯエリア
ビデオエリアは図３１の拡大部分に示されるようにオーディオエリアと同様のプリアンブル及びポストアンブルを持つ。但し、ガードエリアがより長く形成されている点でオーディオエリアのものと異なっている。これらのアンブルエリアに挟まれたビデオデータは次のようにして生成される。
【００３２】
まず、記録すべき映像信号をＹ，Ｒ−Ｙ，Ｂ−Ｙのコンポーネント信号に分離した後、ＡＤ変換し、このＡＤ変換出力から１フレーム分の有効走査エリアのデータを抽出する。この１フレーム分の抽出データは、ビデオ信号が５２５／６０システムの場合には、Ｙ信号のＡＤ変換出力（ＤＹ）については、水平方向７２０サンプル、垂直方向４８０ラインで構成され、また、Ｒ−Ｙ信号のＡＤ変換出力（ＤＲ）及びＢ−Ｙ信号のＡＤ変換出力（ＤＢ）については、それぞれ水平方向１８０サンプル、垂直方向４８０ラインで構成される。
【００３３】
そしてこれらの抽出データは、図３４に示されるように水平方向８サンプル、垂直方向８ラインのブロックに分割される。ただし、色差信号の場合、この図３４の（２）の右端部分のブロックは水平方向４サンプルしかないので、上下に隣接する２個のブロックをまとめて１個のブロックとする。以上のブロッキング処理によって１フレームにつきＤＹ、ＤＲ、ＤＢで合計８１００個のブロックが形成される。なお、この水平方向８サンプル、垂直方向８ラインで構成されるブロックをＤＣＴブロックと言う。
【００３４】
次に、これらのブロッキングされたデータを所定のシャフリングパターンに従ってシャフリングした後、ＤＣＴブロック単位でＤＣＴ変換し、続いて量子化及び可変長符号化を行う。ここで、量子化ステップは３０ＤＣＴブロック毎に設定され、この量子化ステップの値は、３０個のＤＣＴブロックを量子化して可変長符号化した出力データの総量が所定値以下となるように設定される。即ち、ビデオデータを、ＤＣＴブロック３０個ごとに固定長化する。このＤＣＴブロック３０個分のデータをバッファリングユニットと言う。
【００３５】
以上のようにして固定長化したデータについて、その１トラック分のデータ毎にビデオ付随データ（これをＶＡＵＸデータと言う）と共にフレーミングを施し、その後、誤り訂正符号を付加する。
このフレーミングを施して誤り訂正符号を付加した状態のフォーマットを図３５に示す。
【００３６】
この図において、ＢＵＦ０〜ＢＵＦ２６はそれぞれが１個のバッファリングユニットを表す。そして、１個のバッファリングユニットは、図３６の（１）に示すように垂直方向に５つのブロックに分割された構造を有し、各ブロックは７７バイトのデータ量を持つ。また、各ブロックの先頭側の１バイトには量子化に関するパラメータを格納するエリアＱが設けられる。
【００３７】
この量子化データに続く７６バイトのエリアにビデオデータが格納される。そして、図３５に示されているように、これらの垂直方向に２７個配置されたバッファリングユニットの上部には上記のバッファリングユニット内のブロック２個分に相当するＶＡＵＸデータα及びβが配置されると共に、その下部にはブロック１個分に相当するＶＡＵＸデータγが配置され、これらのフレーミングされたデータに対して８バイトの水平パリティＣ１及びブロック１１個分に相当する垂直パリティＣ２が付加される。
【００３８】
このようにパリティが付加された信号は各ブロック単位で読み出されて各ブロックの先頭側に３バイトのＩＤ信号を付加され、更に、記録変調回路において２バイトのＳＹＮＣ信号が挿入される。これにより、ビデオデータのブロックについては図３６の（２）に示されるようなデータ量９０バイトの１ＳＹＮＣブロックの信号が形成され、また、ＶＡＵＸデータのブロックについては同図の（３）に示されるような１ＳＹＮＣブロックの信号が形成される。この１ＳＹＮＣブロック毎の信号が順次テープに記録される。
【００３９】
以上に説明したフレーミングフォーマットでは、１トラック分のビデオデータを表わす２７個のバッファリングユニットはＤＣＴブロック８１０個分のデータを有するので、１フレーム分のデータ（ＤＣＴブロック８１００個分）は１０個のトラックに分けて記録されることになる。
【００４０】
（４）  ＳＵＢＣＯＤＥエリア
ＳＵＢＣＯＤＥエリアは主に高速サーチ用の情報を記録するために設けられたエリアであり、テープ上に記録されたデータのうち、このエリアのデータのみをアフレコによって書き換えることが可能である。このＳＵＢＣＯＤＥエリアの拡大図を図３７に示す。この図に示されるように、このエリアは１２バイトのデータ長を持つ１２個のＳＹＮＣブロックを含み、その前後にプリアンブル及びポストアンブルが設けられる。但し、オーディオエリア及びビデオエリアのようにプリＳＹＮＣ及びポストＳＹＮＣは設けられない。そして、１２個の各ＳＹＮＣブロックには、５バイトの付随データ（ＡＵＸデータ）を記録するデータ部が設けられている。また、この５バイトの付随データを保護するパリティとしては２バイトの水平パリティＣ１のみが用いられ、垂直パリティは使用されない。
【００４１】
なお、以上に説明したＡＵＤＩＯエリア、ＶＩＤＥＯエリア、ＳＵＢＣＯＤＥエリアを構成している各ＳＹＮＣブロックは、記録変調において２４／２５変換（記録信号の２４ビット毎のデータを２５ビットへ変換することにより、記録符号にトラッキング制御用パイロット周波数成分を付与するようにした記録変調方式）を施されるため、各エリアの記録データ量は図３１に示されているようなビット数になる。
【００４２】
（５）  ＩＤ部の構造
以上の図３２，図３３，図３６，及び図３７に示されている各ＳＹＮＣブロックの構成から明らかなように、ＡＵＤＩＯエリア、ＶＩＤＥＯエリア、及びＳＵＢＯＣＯＤＥエリアに記録される各ＳＹＮＣブロックは、いずれも２バイトのＳＹＮＣ信号の後にＩＤ０、ＩＤ１及びＩＤＰ（ＩＤ０，ＩＤ１を保護するパリティ）からなる３バイトのＩＤ部が設けられる点で共通の構造となっている。そして、このＩＤ部の内のＩＤ０、ＩＤ１は、オーディオエリア及びビデオエリアにおいては図３８に示すようにデータの構造が定められる。
【００４３】
即ち、ＩＤ１にはオーディオエリアのプリＳＹＮＣからビデオエリアのポストＳＹＮＣまでのトラック内ＳＹＮＣ番号（０〜１６８）が２進数で格納される。そして、ＩＤ０の下位４ビットには１フレーム内のトラック番号が格納される。このトラック番号は、２トラックにつき１本の割合で番号付けされ、２本のトラックの区別はヘッドのアジマス角度で判別できる。
【００４４】
また、ＩＤ０の上位４ビットには、ＡＡＵＸ＋オーディオデータ、及びビデオデータの各ＳＹＮＣブロックにおいてはこの図の（１）に示されるように４ビットのシーケンス番号が格納される。一方、オーディオエリアのプリＳＹＮＣブロック、ポストＳＹＮＣブロック及びパリティＣ２のＳＹＮＣブロックにおいてはオーディオエリアのデータ構造を規定する３ビットのＩＤデータＡＰ１が格納され、また、ビデオエリアのプリＳＹＮＣブロック、ポストＳＹＮＣブロック及びパリティＣ２のＳＹＮＣブロックにおいてはビデオエリアのデータ構造を規定する３ビットのＩＤデータＡＰ２が格納される（この図の（２）参照）。なお、これらのＡＰ１及びＡＰ２の値は、本実施例のディジタルＶＴＲでは「０００」をとる。
【００４５】
また、上記のシーケンス番号は、「００００」から「１０１１」までの１２通りの番号を各フレーム毎に記録するものであり、このシーケンス番号を見ることにより、変速再生時に得られたデータが同一フレーム内のものかどうかを判断できる。
一方、ＳＵＢＣＯＤＥエリアにおけるＳＹＮＣブロックのＩＤ部の構造は図３９のように規定されている。
【００４６】
この図はＳＵＢＣＯＤＥエリアの１トラック分のＳＹＮＣブロック番号０から１１までの各ＩＤ部の構造を示したものであり、ＩＤ０の最上位ビットにはＦＲフラグが設けられる。このフラグはフレームの前半５トラックであるか否かを示し、前半５トラックにおいては「０」、後半５トラックにおいては「１」の値をとる。その次の３ビットには、ＳＹＮＣブロック番号が「０」及び「６」であるＳＹＮＣブロックにおいてはＳＵＢＣＯＤＥエリアのデータ構造を規定するＩＤデータＡＰ３が記録されると共に、ＳＹＮＣブロック番号「１１」のＳＹＮＣブロックにおいてはトラック上のデータ構造を規定するＩＤデータＡＰＴが記録され、その外のＳＹＮＣブロックにおいてはＴＡＧコードが記録される。なお、上記ＡＰ３の値は、本実施例のディジタルＶＴＲでは「０００」をとる。
【００４７】
また、上記ＴＡＧコードは、この図に拡大して示されているようにサーチ用の３種類のＩＤ信号、即ち、従来から行われているＩＮＤＥＸサーチのためのＩＮＤＥＸ  ＩＤ、コマーシャル等の不要場面をカットするためのＳＫＩＰ  ＩＤ、及び静止画サーチのためのＰＰ  ＩＤ（Ｐｈｏｔｏ／Ｐｉｃｔｕｒｅ  ＩＤ）から構成される。また、ＩＤ０の下位４ビットとＩＤ１の上位４ビットとを使用してトラックの絶対番号（テープの先頭からの通しのトラック番号）が記録される。そして、この絶対トラック番号を用いることによってテープ上の任意の位置を規定することができ、この絶対トラック番号は、位置規定信号としての役割を持っている。なお、この図に示されるようにＳＹＮＣブロック３個分の合計２４ビットを用いて１個の絶対トラック番号が記録される。ＩＤ１の下位４ビットにはＳＵＢＣＯＤＥエリアのＳＹＮＣブロック番号が記録される。
【００４８】
（６）  ＭＩＣ
本実施例のディジタルＶＴＲでは、以上に説明したようにテープ上に規定されている各エリアに付随データを記録するようにしているが、この外にテープの収納されるカセットにメモリＩＣの設けられた回路基板を搭載し、このメモリＩＣにも付随データを記録するようにしている。そして、このカセットがディジタルＶＴＲに装着されるとこのメモリＩＣに書き込まれた付随データが読み出されてディジタルＶＴＲの運転・操作の補助が行われるようにしている（特願平４−１６５４４４号、特願平４−２８７８７５号等参照）。このメモリＩＣを本願ではＭＩＣ（Ｍｅｍｏｒｙ  Ｉｎ  Ｃａｓｓｅｔｔｅ）と呼び、そのデータ構造については後で詳述する。
【００４９】
（７）  パックの構造及び種類
以上に説明したように、本実施例のディジタルＶＴＲでは、付随データを記録するエリアとして、テープ上のオーディオエリアのＡＡＵＸエリア、ビデオエリアのＶＡＵＸエリア、及びＳＵＢＣＯＤＥエリアのＡＵＸデータ記録エリアが使用され、また、この外にテープカセットに搭載されたＭＩＣの記録エリアが使用される。そして、これらの各エリアは、いずれも５バイトの固定長をもつパックを単位として構成される。
【００５０】
つぎに、これらのパックの構造及び種類について説明する。
パックは図４０に示される５バイトの基本構造を持つ。この５バイトについて、最初のバイト（ＰＣ０）がデータの内容を示すアイテムデータ（パックヘッダーとも言う）とされる。そして、このアイテムデータに対応して後続する４バイト（ＰＣ１〜４）の書式が定められ、この書式に従って任意のデータが設けられる。
【００５１】
このアイテムデータは上下４ビットずつに分割され、上位４ビットは大アイテム、下位４ビットは小アイテムと称される。そして上位４ビットの大アイテムは例えば後続データの用途を示すデータとされ、この大アイテムによってパックは図４１の表に示されるように、コントロール「００００」、タイトル「０００１」、チャプター「００１０」、パート「００１１」、プログラム「０１００」、音声補助データ（ＡＡＵＸ）「０１０１」、画像補助データ（ＶＡＵＸ）「０１１０」、カメラ「０１１１」、ライン「１０００」、ソフトモード「１１１１」の１０種類のグループに展開されている。
【００５２】
このように大アイテムによって展開されたパックの各グループは、それぞれが更に小アイテム（これによって例えば後続データの具体的な内容が表される）によって１６種類のパックに展開され、結局、これらのアイテムを用いて最大２５６種類のパックを定義することができる。
なお、図４１の表の中に記入されている「ＲＥＳＥＲＶＥＤ」は、追加用に残された未定義の部分を表している。従って、未だ定義されていないアイテムデータのコードを使用して新たなアイテムデータ（ヘッダー）を定義することにより、将来任意に新しいデータの記録を行うことができる。またヘッダーを読むことによりパックに格納されているデータの内容を把握できるので、パックを記録するテープ上の位置も任意に設定できる。
【００５３】
次に、パックの具体例を図４２〜図４７、図１〜図４を用いて説明する。
図４２の〔１〕に示されるパックは、そのアイテムデータの値から分かるように図４１の表におけるＡＡＵＸのグループに属するものであってＡＡＵＸ  ＳＯＵＲＣＥパックと呼ばれ、音声に関する付随データの記録に使用される。即ち、図に示されるように、オーディオサンプル周波数が映像信号とロックしているか否かを示すフラグ（ＬＦ）、１フレーム当たりのオーディオサンプル数（ＡＦ
ＳＩＺＥ）、オーディオチャンネル数（ＣＨ）、各オーディオチャンネルのステレオ／モノラル等のモードの情報（ＰＡ及びＡＵＤＩＯ  ＭＯＤＥ）、テレビジョン方式に関する情報（５０／６０及びＳＴＹＰＥ）、エンファシスの有無（ＥＦ）、エンファシスの時定数（ＴＣ）、サンプル周波数（ＳＭＰ）、量子化情報（ＱＵ）が記録される。
【００５４】
また、図４２の〔２〕、及び図４３の〔１〕〜〔５〕に示される各パックは、そのアイテムデータの値から分かるように図４１の表におけるＶＡＵＸのグループに所属するものであり、画像に関する付随データの記録に使用される。これらのパックの記録内容について説明すると、図４２の〔２〕に示されるＶＡＵＸ
ＳＯＵＲＣＥパックには、記録信号源のチャンネル番号（ＴＶ  ＣＨＡＮＮＥＬ）、記録信号が白黒信号であるか否かを示すフラグ（Ｂ／Ｗ）、記録信号のカラーフレーミングを表すコード（ＣＦＬ）、ＣＦＬが有効であるか否かを示すフラグ（ＥＮ）、記録信号源がカメラ／ライン／ケーブル／チューナー／ソフトテープ等のいずれであるかを示すコード（ＳＯＵＲＣＥ  ＣＯＤＥ）、記録信号のテレビジョン方式（５２５／６０，６２５／５０，１１２５／６０，１２５０／５０等）に関するデータ（５０／６０、及びＳＴＹＰＥ）、ＵＶ放送／衛星放送等の識別に関するデータ（ＴＵＮＥＲ  ＣＡＴＥＧＯＲＹ）が記録される。
【００５５】
図４３の〔１〕に示されるＶＡＵＸ  ＳＯＵＲＣＥ  ＣＯＮＴＲＯＬパックには、ＳＣＭＳデータ（上位ビットが著作権の有無を表し、下位ビットがオリジナルテープか否かを表す）、コピーソースデータ（アナログ信号源か否か等を表す）、コピー世代データ、サイファー（暗号）タイプデータ（ＣＰ）、サイファーデータ（ＣＩ）、記録開始フレームか否かを示すフラグ（ＲＥＣ  ＳＴ）、オリジナル記録／アフレコ記録／インサート記録等の記録モードデータ（ＲＥＣ  ＭＯＤＥ）が記録されると共に、更に、アスペクト比等に関するデータ（ＢＣＳＹＳ及びＤＩＳＰ）、奇偶フィールドのうちの一方のフィールドの信号のみを２回反復して出力するか否かに関するフラグ（ＦＦ）、フィールド１の期間にフィールド１の信号を出力するかフィールド２の信号を出力するかに関するフラグ（ＦＳ）、フレームの画像データが前のフレームの画像データと異なっているか否かに関するフラグ（ＦＣ）、インターレースであるか否かに関するフラグ（ＩＬ）、記録画像が静止画であるか否かに関するフラグ（ＳＴ）、記録画像がスチルカメラモードで記録されたものであるか否かを示すフラグ（ＳＣ）、及び記録内容のジャンルが記録される。
【００５６】
また、同図の〔２〕に示されるＶＡＵＸ  ＲＥＣ  ＤＡＴＥパックには記録日に関するデータが記録され、同図の〔３〕に示されるＶＡＵＸ  ＲＥＣ  ＴＩＭＥパックには記録時間に関するデータが記録され、同図の〔４〕に示されるＢＩＮＡＲＹ  ＧＲＯＵＰのパックにはタイムコードのバイナリー群のデータが記録される。同図の〔５〕に示されるＣＬＯＳＥＤ  ＣＡＰＴＩＯＮパックにはテレビジョン信号の垂直帰線期間に伝送されるクローズドキャプション情報が記録される。
【００５７】
また、図４４の（１）のＣＡＳＳＥＴＴＥ  ＩＤパック、及び同図の（２）のＴＡＰＥ  ＬＥＮＧＴＨパックは、図４１におけるＣＯＮＴＲＯＬのグループに属するパックであり、ＣＡＳＳＥＴＥ  ＩＤパックには、ＭＩＣに記録されているデータがカセットのテープ上に記録されているデータと対応しているかどうかを示すフラグＭＥ、メモリ（ＭＩＣ）の種類、メモリのサイズに関する情報、及びテープ厚みの情報（ＰＣ４）が記録される。
【００５８】
そして、ＴＡＰＥ  ＬＥＮＧＴＨパックには、ビデオテープにおけるリーダーテープを除いた磁気テープ本体の全長がトラック本数に換算された２３ビットのデータとして記録される。この場合のトラック本数は、ＳＰモード時のトラックピッチ（１０ミクロン）で計算する。
次に、このテープ長の具体的計算の仕方について、１２０分記録テープを例に挙げて説明する。
【００５９】
通常、ビデオテープは、実際の記録可能時間よりも長めに巻いてマージンを設けてある。従って、１２０分記録テープの場合このマージンが３分であるとすれば、１２３分に対応するトラック本数をパックに記録することになる。ところがこれを目標に設計しても、カセットテープ製造装置のメカ的な精度により誤差が不可避的に生じて来る。従って、この誤差をα（分）とすれば、実際のテープ長は、
【００６０】
【数１】
0003586878.tif 000002
【００６１】
となる。そして、本願ではこの誤差分を、２進数表記の下位ビットを０とすることで解決している。なお、この場合、０に置き換えられる下位ビットの個数、言い換えれば、有効桁数をどのように設定するかは、各カセットテープメーカーの裁量に任せるようにしている。これにより、各メーカーは、個々のメーカーにおいて使用しているテープ製造装置の能力やテープ原版の特性に起因して生ずる誤差の程度に応じて、安全な範囲の最適な有効桁数を随意設定できる。
【００６２】
参考までに、１２０分記録テープについてのトラック本数をＴＡＰＥ  ＬＥＮＧＴＨパックに格納する場合のフローの具体例を図４５に示す。
ここに示される例では、下位８ビットを除いた部分を有効桁数としている。そして、トラック本数をパックのＰＣ３〜ＰＣ１から構成される上位２３ビットに格納するために、下位８ビットの無効桁を０に置き換えたのちデータ全体を１ビット左にシフトする操作を行っている。
以上に説明では、トラックピッチをＳＰモードの１０ミクロンとして計算しているが、ＬＰモードに対しては単にトラックピッチ換算すればよいので、それぞれの記録モードに対するテープ全体の記録時間は簡単に計算できる。
【００６３】
図４４の（３）に示されるＴＩＴＬＥ  ＥＮＤパックには、テープ上の最終録画位置の絶対トラック番号が記録される。この最終録画位置は、テープ上における記録が行われた領域のうち最もテープエンドに近い位置を意味し、この位置以降は未記録エリアとなる。なお、テープ上の途中に無記録部分（ブランク）があるときはテープ上の各トラックに記録される絶対トラック番号に不連続部分を生ずることになるが、上記のパック内におけるフラグＢＦは、このパックに記録された絶対トラック番号より前の位置にこのような不連続な部分があるかどうかを示すフラグである。また、フラグＳＬは、この最終記録位置における記録モードがＳＰモード及びＬＰモードのうちいずれであるかを示すフラグであり、フラグＲＥは、テープ上に消去してはならない録画内容が存在するかどうかを示すフラグである。
【００６４】
参考までに、ＴＩＴＬＥ  ＥＮＤパックに格納される絶対トラック番号と上記のＴＡＰＥ  ＬＥＮＧＴＨパックに格納される絶対トラック番号の関係を模式的に示すと図４６のようになり、両者の絶対トラック番号の値からテープの未記録部分の長さ（残量）を直ちに求めることができる。
なお、テープ上の記録部分にＳＰモードで記録した部分とＬＰモードで記録した部分とが混在していても、本ディジタルＶＴＲでは、各トラックに記録される絶対トラック番号を図４７に示すように規定しているので、ＴＩＴＬＥ  ＥＮＤパックに格納されている絶対トラック番号から容易にテープ残量を算出することができる。
【００６５】
この図について簡単に説明すると、この図は、テープの記録可能部分の始端から最初の１フレームをＳＰモードで記録し、その次の２つのフレームについてはトラックピッチがＳＰモードの２／３であるＬＰモードで記録し、更にその次のフレームからは再びＳＰモードで記録した場合のテープ上のトラックフォーマットを簡略化して示したものであり、縦方向の細長い矩形の１つ１つが１個の記録トラックを表し、各トラックの中に記されている数字０〜９は１フレーム内のトラック番号を表している。
【００６６】
また、各トラックの上部に記されている数字は各トラックの絶対トラック番号を表し、この図に示されるように、絶対トラック番号はＳＰモード記録部分では３の倍数で記録されると共に、ＬＰモード記録部分では２の倍数で記録されていて常にトラックピッチに対応したものとなっている。そして、記録モードが切り換わった位置のトラックに記録される絶対トラック番号の値は、その直前のトラックの絶対トラック番号に対して連続的な関係を持つように設定される。
【００６７】
これによって、任意のトラックに記録されている絶対トラック番号が、該トラックのテープ始端からの距離に対応したものとなっている。従って、上記のテープ残量を絶対トラック番号から容易に算出することができる（なお、ＬＰモードにおけるトラックピッチをＳＰモードにおけるトラックピッチの１／２とした場合には、絶対トラック番号をＳＰモード記録部分では２の倍数に、ＬＰモード記録分では１の倍数にして記録すればよい）。
【００６８】
なお、上記の最終録画位置情報は、カムコーダーにおいてテープを巻き戻してから開始した再生動作を途中で停止させ、その後、元の最終録画位置に戻るときやタイマー予約時に便利な使い勝手を提供する。また、図４４の（４）に示されるＴＩＴＬＥ  ＥＮＤパックは、最終録画位置を時分秒フレームのタイムコードで記録するものであり、ユーザーに最終録画位置を時間データで知らせるときはこのパックを用いる。なお、このパック内に格納されているＤＦフラグは、ドロップフレームモードであるか否かを表すフラグである。
【００６９】
図１の（１）に示されるＴＩＭＥＲ  ＲＥＣ  ＤＡＴＥパックには、タイマー記録の際の主に指定日に関するデータが記録される。このパック内のＳＬフラグは、ＳＰモードかＬＰモードかを示すフラグであり、ＲＰフラグは、記録内容の消去の可否に関するフラグであり、ＴＥＸＴフラグは、この録画内容に関するテキストデータが記録されているか否かを示すフラグである。また、このパックの第３バイト（ＰＣ２）の第６、第７ビットに格納されるコードＴＣＦ（Ｔｉｍｅｒ  Ｃｏｎｔｒｏｌ  Ｆｌａｇ）は、ＰＣ１の第１〜第７ビットに格納されるデータ（ＤＡＹ）の意味付けを行うコードである。
【００７０】
即ち、ＴＣＦの値が「００」または「０１」のときには、ＰＣ１の第７ビットは日曜日を、第６ビットは月曜日を、第５ビットは火曜日を、第４ビットは水曜日を、第３ビットは木曜日を、第２ビットは金曜日を、第１ビットは土曜日をそれぞれ表す。そして、ＴＣＦの値が「００」のときは、毎週、これらの曜日を表すビットのうち値が「０」であるビットの曜日に録画が行われることを意味している。例えば、第７ビットと第６ビットの値のみが共に「０」であれば、毎週、日曜日と月曜日に録画が実行される。
【００７１】
また、ＴＣＦの値が「０１」のときは、１度だけ、これらの曜日を表すビットのうち値が「０」であるビットの曜日に録画が行われることを意味している。
ＴＣＦの値が「１１」のときは、ＰＣ１の第１ビット〜第７ビットの７ビットのコードによって一つの月における１日から３１日までの特定の日が２進数で表示され、この表示された日に録画が実行される。なお、ＴＣＦが「１０」の場合については未定義である。
【００７２】
また、同図の（２）に示されるＴＩＭＥＲ  ＲＥＣ  Ｓ／Ｓパックには、タイマー記録の開始時刻及び終了時刻のデータが記録される。
同図の（３）に示されるＲ／Ｐ  ＳＴ  ＰＯＩＮＴパックには、テープ上の録画開始位置或るいは再生開始位置の絶対トラック番号が２進数で記録される。即ち、フラグＲＥＣ＝１のときは、このパックに記録される絶対トラック番号は録画開始位置を表し、このパックをＲＥＣ  ＳＴＡＲＴ  ＰＯＩＮＴパックという。また、フラグＲＥＣ＝０のときは、このパックに記録される絶対トラック番号は再生開始位置を表し、このパックをＰＢ  ＳＴＡＲＴ  ＰＯＩＮＴパックという。
【００７３】
なお、同図の（４）に示されるＲ／Ｐ  ＳＴ  ＰＯＩＮＴパックは、録画或るいは再生の開始位置をタイムコードで記録するものである。本実施例のディジタルＶＴＲでは絶対トラック番号表現によるＲ／Ｐ  ＳＴ  ＰＯＩＮＴパックを優先して用い、ユーザーに開始位置を時間データとして知らせるときにこのタイムコード表現のＲ／Ｐ  ＳＴ  ＰＯＩＮＴパックを併用する。
【００７４】
同図の（５）に示されるＴＡＧパックは、テープ上の位置をマーキングする際に用いられ、絶対トラック番号によってこの位置が指定される。なお、この指定された位置がどのような意味合いのものであるかは、ＰＣ４に格納されている４ビットのＴＡＧ  ＩＤによって定義される。このパックに記録された絶対トラック番号のテープ位置の意味は、ＴＡＧ  ＩＤの値に応じて次のように定義されている。
【００７５】
００００＝ＩＮＤＥＸ
０００１＝ＳＫＩＰ  ＳＴＡＲＴ
００１０＝ＰＰ（ＰＨＯＴＯ  ＰＩＣＴＵＲＥ）
００１１＝ＰＲＯＧＲＡＭ  ＰＬＡＹ  ＳＴＡＲＴ
０１００＝ＺＯＮＥ  ＰＬＡＹ
０１０１＝ＳＴＩＬＬ（ＦＩＸＥＤ  ＴＩＭＥ）
０１１０＝ＦＲＥＥＺＥ（ＦＩＸＥＤ  ＴＩＭＥ）
０１１１＝ＬＡＳＴ  ＲＥＣ  ＰＯＩＮＴ
１０００＝ＤＡＴＥ  ＣＨＡＮＧＥ
１００１＝ＴＩＭＥ  ＣＨＡＮＧＥ
１０１０＝ＲＥＣ  ＳＴＡＲＴ  ＰＯＩＮＴ
１０１１＝ＰＢ  ＳＴＡＲＴ  ＰＯＩＮＴ
Ｏｔｈｅｒｓ＝Ｒｅｓｅｒｖｅｄ
【００７６】
即ち、ＴＡＧ  ＩＤが「００００」のときは、このＴＡＧパックに格納されている絶対トラック番号はテープの頭出し再生の場合の頭出しの位置を表し、「０００１」のときはＳＫＩＰ動作の開始位置を、「００１０」のときはこの絶対トラック番号位置の映像が静止画状態で再生される位置であることを表し、「００１１」のときはプログラム再生の開始位置であることを表し、「０１００」のときはＺＯＮＥ再生の開始位置であることを表す。
【００７７】
また、「０１０１」のときはこの絶対トラック番号位置の映像が所定時間だけ静止画状態で再生される位置であることを表し、「０１１０」のときは音声は通常通りに再生されると共にこの絶対トラック番号位置の映像は所定時間だけ静止画状態で再生される位置であることを表し、「０１１１」のときは最後に記録した位置を表し、「１０００」のときは録画内容の記録年月日の変わる位置を表し、「１００１」のときは録画内容の記録時刻の変わる位置を表し、「１０１０」のときは録画開始位置を表し、「１０１１」のときは再生開始位置を表す。
【００７８】
なお、ＴＡＧ  ＩＤが「０１１１」のときこのパックに格納される「最後に記録した位置」情報は、前述のＴＩＴＬＥ  ＥＮＤパックに格納される「最終記録位置」情報とは異なり、そのテープを用いて行われた最後の録画動作における録画終了位置を表す。参考までに両方のパックに格納される絶対トラック番号の関係を図２及び図３に簡略化して示す。
【００７９】
これらの図からも明らかなように、このＴＡＧパックに格納されるトラック番号は、ＴＩＴＬＥ  ＥＮＤパックに格納されるトラック番号より大きくなることはない。即ち、ＴＩＴＬＥ  ＥＮＤパックの生成においては、常に録画動作が終了する都度、その録画終了位置のトラックの絶対トラック番号とＴＩＴＬＥ  ＥＮＤパックに格納されている絶対トラック番号との比較が行われており、前者のトラック番号が後者のトラック番号より大きければ、前者のトラック番号がＴＩＴＬＥ  ＥＮＤパックの中に複写される。前者のトラック番号が後者のトラック番号より小さければ、後者のトラック番号はそのままである。
【００８０】
なお、ＴＡＧパックの中に格納されるＴＥＸＴフラグは、テキストデータが記録されているかどうかを示すフラグであり、ＴＴフラグは、ＭＩＣに記録されているテープ記録開始位置データがテープ上に記録されているテープ記録開始位置データと対応しているかどうかを示すフラグである。更に、フラグＢＦは、テープ上に記録されている絶対トラック番号に不連続な部分があるかどうかを示すフラグである。
【００８１】
図４の（１）に示されるＴＡＧパックは、テープ上の位置をタイムコードによってマーキングするものであり、ユーザーに対して位置を時間表示で教える場合に使用する。
同図の（２）に示されるＭＡＫＥＲ  ＣＯＤＥパックは、図４１におけるＳＯＦＴ  ＭＯＤＥのグループに属するものであり、ソフトテープメーカーのコードが記録される。そして、このグループにおける小アイテム「０００１」〜「１１１０」のパックは、メーカーに開放されており、各メーカーが自由に種々のパックを定義して所望の情報を記録することができる。
【００８２】
なお、パックの特殊例として、アイテムコードがオール１のパックは、無情報のパック（ＮＯ  ＩＮＦＯＲＭＡＴＩＯＮ  パック）として定義されている。
以上の説明から分かるように、本実施例のディジタルＶＴＲでは、付随データの構造が上述のような各エリアに共通なパック構造となっているので、これらのデータを記録再生する場合のソフトウェアを共通にでき、処理が簡単になる。また記録再生時のタイミングが一定になるために、時間調整のために余分にＲＡＭ等のメモリを設ける必要がなく、さらに新たな機種の開発などの場合にも、そのソフトウェアの開発を容易に行うことができる。
【００８３】
またパック構造にすることによって、例えば再生時にエラーが発生した場合にも、次のパックを容易に取り出すことができる。このためエラーの伝播等によって大量のデータが破壊されてしまうようなことがない。
なお、前述のＭＩＣにテキストデータを記憶する場合には、記憶容量の小さいＭＩＣの記憶エリアの使用量を節約するために、パックの構造を、例外的に１個のパックの中に記録対象であるテキストデータが全部格納される可変長パックの構造としており、これによってＭＩＣの記憶領域の消費量を節約している。
【００８４】
（８）  付随情報記録エリアの構造
次に、パックを用いて多種多様な付随データが記録されるＡＡＵＸエリア、ＶＡＵＸエリア、ＳＵＢＣＯＤＥエリアのＡＵＸデータ記録エリア、及びテープカセットに搭載されたＭＩＣの記録エリアの具体的構造について説明する。
▲１▼  ＡＡＵＸエリア
ＡＡＵＸエリアでは、図３３の（２）に示される１ＳＹＮＣブロックのフォーマットにおいて、５バイトのＡＡＵＸエリアで１個のパックが構成される。従って、ＡＡＵＸエリアは１トラックにつき９個のパックで構成される。５２５／６０システムのディジタルＶＴＲでは１フレームのデータを１０トラックで記録するので、１フレーム分のＡＡＵＸエリアは図５のように表される。
【００８５】
この図において１つの区画が１個のパックを表す。そして、区画に記入されている番号５０〜５５は、その区画のパックのアイテムコードを１６進数表示したものであり（例えば、この図における番号５０は、前述のＡＡＵＸ  ＳＯＵＲＣＥパックを表している）、これらの６種類のパックをメインパックと呼び、これらのメインパックが記録されるエリアをＡＡＵＸメインエリアと言う。そして、このメインエリアには、図に示されるように同じパックデータが１フレームにつき１０回繰り返して記録される。これらのメインパックには主に音声信号の記録再生に関し重要かつ必須なデータが記録されており、以上のような繰り返し記録を行うことによりテープの横傷やチャンネルクロッグ等の発生に対してもデータの再生可能性を高くしている。
【００８６】
また、これ以外のエリアはＡＡＵＸオプショナルエリアと言い、多種多様なパックの中から任意のパックを選んで１フレームにつき最大３０パックまで記録することができる。オプショナルエリアには、最初に共通のコモンオプションが記録されるコモンオプションエリアが設けられ、その後に、メーカーごとの固有の内容が記録されるメーカーオプショナルエリアが設けられる。但し、オプションなので片方だけ、または両方存在したり、または両方存在しない場合もある。
【００８７】
そして、コモンオプショナルエリアには、例えば、テキストデータが記録される。一方、メーカーオプショナルエリアには、最初にソフトモード「１１１１」の大アイテムと「００００」の小アイテムを有する前述のＭＡＫＥＲ  ＣＯＤＥパックが設けられ、それに続いてメーカーごとの固有の内容が設けられる。従ってこのＭＡＫＥＲ  ＣＯＤＥパックが判別されると、それ以前は共通化された内容であり、これ以降はメーカーごとの固有の内容であると判別される。
【００８８】
なお、情報が無い場合は、情報無しのパックＮＯ  ＩＮＦＯパックが記録される。
以上に説明したメインエリア、オプショナルエリア、コモンオプション、メーカーズオプションの仕組みは、ＡＡＵＸ、ＶＡＵＸ、ＳＵＢＣＯＤＥ、ＭＩＣすべてに共通である。
【００８９】
▲２▼  ＶＡＵＸエリア
ＶＡＵＸエリアについては、１トラックにおけるＶＡＵＸエリアが図３５に示されるように３個のＳＹＮＣブロックα、β、γから構成され、そのパック個数は、図６に示されるように１ＳＹＮＣブロックにつき１５個、１トラックで４５個となる。なお、１ＳＹＮＣブロックにおける水平パリティＣ１の直前の２バイトのエリアは、予備的な記録エリアとして使用する。
【００９０】
１フレーム分のＶＡＵＸエリアについて、そのパック構成を示すと図７のようになる。この図において１６進数表示のアイテムコード６０〜６５が付されているパックはＶＡＵＸメインエリアを構成するＶＡＵＸメインパックであり、図４２の〔２〕、及び図４３の〔１〕〜〔５〕に示したパックがこれらのパックに相当している。その外のパックはＶＡＵＸオプショナルエリアを構成する。
【００９１】
▲３▼  ＳＵＢＣＯＤＥエリアのＡＵＸデータ記録エリア
ＳＵＢＣＯＤＥエリアのＡＵＸデータ記録エリアは、図３７に示されるように、ＳＹＮＣブロック番号０〜１１の各ＳＹＮＣブロックの中に５バイトづつ存在し、それぞれが１パックを構成している。即ち、１トラックで１２個のパックが記録され、そのうちＳＹＮＣブロック番号３〜５及び９〜１１のパックがメインエリアを構成し、その外のパックはオプショナルエリアを構成する。
【００９２】
このＳＵＢＣＯＤＥエリアにおいては、１フレーム分のデータが図８に示すようなフォーマットで反復記録される。この図において大文字のアルファベットはメインエリアのパックを表し、タイムコードを格納したパック、記録年月日を格納したパック等の高速サーチに用いられるパックが記録される。小文字のアルファベットはオプショナルエリアのパックを表し、この図に示されるような位置に反復して記録される。
【００９３】
なお、図８は５２５／６０システムの場合の記録パターンであるが、参考までに６２５／５０システムの場合の１フレーム分のＳＵＢＣＯＤＥデータの記録パターンを図９に示す。この図に示されるように、６２５／５０システムの場合は１フレームが１２トラックで構成されるが、１トラックにおけるＳＵＢＣＯＤＥは５２５／６０システムの場合と同様に１２個のＳＹＮＣブロックで構成されており、トラック数のみが異なったものとなる。但し、１秒当たりに使用されるトラック本数は、いずれも３００本となり等しくなっている。
【００９４】
以上に説明したＳＤ（ＳＴＡＮＤＡＲＤ  ＤＥＮＳＩＴＹ）方式では１フレームが１０トラックもしくは１２トラックで構成されるが、ＨＤ（ＨＩＧＨ  ＤＥＮＳＩＴＹ）方式の場合には、１１２５／６０システムでは１フレーム２０トラック、１２５０／５０システムでは１フレーム２４トラックで記録が行われる。即ち、トラックピッチをＳＤ方式の場合と等しくとればテープ消費量は２倍になる。
【００９５】
なお、以上に説明した各記録エリアにおけるメインエリアには、あらゆるテープについて共通的な基本のデータ項目に関する付随的情報が格納されたパックが記録されるという特徴がある。一方、オプショナルエリアには、ソフトテープメーカー或るいは、ユーザー等が自由に任意の付随データを書き込むことができる。そのような付随的情報としては、例えば、種々の文字情報、文字放送信号データ、垂直ブランキング期間内或るいは有効走査期間内の任意のラインのテレビジョン信号データ、コンピューターグラフィックスのデータ等がある。
【００９６】
▲４▼  ＭＩＣの記録エリア
図１０に、ＭＩＣの記録エリアのデータ構造を示す。この記録エリアもメインエリアとオプショナルエリアに分かれており、先頭の１バイトと未使用エリア（ＦＦｈが記録される）を除いてすべてパック構造で記述される。前述のようにテキストデータだけは、可変長のパック構造で、それ以外はＶＡＵＸ、ＡＡＵＸ、ＳＵＢＣＯＤＥの各記録エリアと同じ５バイト固定長のパック構造で記録される。
【００９７】
ＭＩＣメインエリアの先頭のアドレス０には、ＭＩＣのデータ構造を規定するＩＤデータであるＡＰＭ３ビットとＢＣＩＤ（Ｂａｓｉｃ  Ｃａｓｓｅｔｔｅ
ＩＤ）４ビットが記録される。ここで、ＡＰＭの値は、本実施例のディジタルＶＴＲでは「０００」をとる。また、ＢＣＩＤは、基本カセットＩＤであり、ＭＩＣを搭載していないカセットのためのＩＤ認識（テープ厚み、テープ種類、テープグレード）用のＩＤボードと同じ内容である。ＩＤボードは、ＭＩＣ読み取り端子を従来の８ミリＶＴＲのレコグニションホールと同じ役目をさせるもので、これにより従来のようにカセットハーフに穴を空ける必要がなくなる。
【００９８】
アドレス１以降には順に、前述のＣＡＳＳＥＴＥ  ＩＤパック、ＴＡＰＥ  ＬＥＮＧＴＨパック、ＴＩＴＬＥ  ＥＮＤパックの３個のパックが記録される。
ここで、ＴＡＰＥ  ＬＥＮＧＴＨパックには前述の如くテープの全長に対応したトラック本数が記録されているが、本ディジタルＶＴＲにおいて用いられるテープカセットにおいては、このようにＭＩＣ内にテープの全長に関するデータを記録するだけでなく、テープカセット本体の外面にもテープの全長を表すデータとしてトラック本数を表記するようにしている。
【００９９】
即ち、本ディジタルＶＴＲは、前述のように同じテープカセットを用いて５２５／６０システム、６２５／５０システム、１１２５／６０システム、及び１２５０／５０システムのいずれのシステムのテレビジョン信号も記録可能であり、更に、記録モードとしてＳＰモード、及びＬＰモードのいずれかを選択可能であるが、このように多種多様な使用モードに供されるテープの場合、その記録可能時間は、その使用モードに応じて様々に変化し、特に、１つのテープ内に種々の記録モードによる記録部分が混在する場合を考えると、従来のテープカセットのようにその記録容量を１つの記録時間として表記しておいても実用性に乏しいことになる。
【０１００】
また、１つのカセットテープに種々の使用モードで記録した場合の記録時間をすべて併記しておくことは、カセットサイズが小さいことを考えると現実的な対応策とは言いがたい。
そこで、本ディジタルＶＴＲで用いるテープカセットにおいては、上記のようにテープの全長に対応するトラック本数を表記することによって該テープの記録容量を簡潔に表すことにしている。なお、このようなトラック本数を直接表記する代わりに、かかるトラック本数に対応させた記号（例えば、Ａ、Ｂ、Ｃ、・・・等）を表記するようにしてもよい。
【０１０１】
また、ＴＩＴＬＥ  ＥＮＤパックには、前述のように最終録画位置の記録モードがＳＰモード及びＬＰモードのいずれであるかを示すフラグＳＬが記録されているが、これによって、最終録画位置から録画を再開しようとする場合、記録ヘッドが最終録画位置に到達する以前から予めその記録モードを知ることができる。従って、このフラグの値に基づいて、最終録画位置から録画を再開する時のサーボの立ち上がりを早くすることができる。
【０１０２】
オプショナルエリアは、任意個数のイベントから構成される。メインエリアが、アドレス０から１５まで１６バイトの固定エリアだったのに対し、オプショナルエリアはアドレス１６以降にある可変エリアである。ここで、イベントとはＭＩＣの１つのデータグループを意味し、イベントヘッダーから始まって次のイベントヘッダーが現れるまでで１つのイベントが構成される。
【０１０３】
そして、モード処理マイコンは、ユーザーからの種々の指令に応じてＭＩＣマイコンを介して各イベントの内容を解読し、この解読結果に基づいてユーザーからの指令に基づいた表示、制御等の動作を実行する。このようなイベントの具体例を上げると、例えば、タイマー予約録画イベントは、前述のＴＩＭＥＲ  ＲＥＣ  ＤＡＴＥパックがイベントヘッダーとなり、ＴＩＭＥＲ  ＲＥＣ  Ｓ／ＳパックとＶＡＵＸ  ＳＯＵＲＣＥパックとの３個のパックで構成され、これに図１の（３）に示されるパックによるＲＥＣ  ＳＴＡＲＴ  ＰＯＩＮＴパックを加えれば、この位置からタイマー録画が開始される。
【０１０４】
このように一般に１つのイベントは、複数個のパックで構成されるが、その中に他のイベントヘッダーとして定義されているパックを入れることは禁じられている。なお、図１の（５）のＴＡＧパックによっても記録開始位置或るいは再生開始位置を指定することが可能であるが、このＴＡＧパックはイベントヘッダーも兼ねているので、例えば、記録開始位置を指定するためのパックとしてＴＡＧパックをタイマー録画予約イベントの中に含ませることはできない。従って、タイマー録画予約イベントに記録開始位置を指定するためのパックを加える場合には、上記のＲＥＣ  ＳＴＡＲＴ  ＰＯＩＮＴパックを用いることになる。なお、このＴＡＧパックは、後述するように、このパック１個のみでもイベントとして存在できる。
【０１０５】
オプショナルエリアに記録されている特定のイベントを消去した時にはアドレス１６以降に残りのイベントを詰めて保存する。詰め込み作業後不要となったデータエリアは、すべてＦＦｈを書き込んでおき、未使用エリアとする。ＭＩＣデータの読出し時、そのパックヘッダーの内容により５バイト毎、または可変長バイト（テキストデータ）毎に、次のパックヘッダーが登場するが、未使用エリアのＦＦｈをヘッダーとして読みだすと、これは情報無しパック（ＮＯ  ＩＮＦＯパック）のパックヘッダーに相当するので、コントロールマイコンはそれ以降に情報が無いことを検出できる。
【０１０６】
なお、オプショナルエリアには、以上のようなタイマー録画予約イベント、及びＴＡＧパックの外、ＴＯＣ（Ｔａｂｌｅ  ｏｆ  Ｃｏｎｔｅｎｔｓ）、及びプログラムに関するタイトルのテキストデータ等が記録される。
【０１０７】
１─２．  ディジタルＶＴＲの記録回路
本実施例のディジタルＶＴＲでは、以上に説明した記録フォーマットに従ってテープ及びＭＩＣへの記録が行われるが、次に、このような記録を実行するディジタルＶＴＲの記録回路の構成及び動作について説明する。
かかる記録回路の構成を図１１に示す。
【０１０８】
この図において、入力されたアナログコンポジットビデオ信号はＹ／Ｃ分離回路４１によりＹ，Ｒ−Ｙ，Ｒ−Ｙの各コンポーネント信号に分離され、Ａ／Ｄ変換器４２へ供給される。また、アナログコンポジットビデオ信号は同期分離回路４４へ供給され、ここで分離された同期信号はクロック発生器４５へ供給される。クロック発生器４５はＡ／Ｄ変換器４２及びブロッキング・シャフリング回路４３のためのクロック信号を生成する。
【０１０９】
Ａ／Ｄ変換器４２へ入力されたコンポーネント信号は、５２５／６０システムの場合、Ｙ信号は１３．５ＭＨｚ、色差信号は１３．５／４ＭＨｚのサンプリング周波数で、また６２５／５０システムの場合、Ｙ信号は１３．５ＭＨｚ、色差信号は１３．５／２ＭＨｚのサンプリング周波数で、Ａ／Ｄ変換が行われる。そして、これらのＡ／Ｄ変換出力のうち有効走査期間のデータＤＹ，ＤＲ，ＤＢのみがブロッキング・シャフリング回路４３へ供給される。
【０１１０】
このブロッキング・シャフリング回路４３において、有効データＤＹ，ＤＲ，ＤＢは、水平方向８サンプル、垂直方向８ラインを１つのブロックとするブロッキング処理を施され、さらにＤＹのブロック４個、ＤＲとＤＢのブロックを１個ずつ、計６個のブロックを単位として画像データの圧縮効率を上げ、かつ再生時のエラーを分散させるためのシャフリングが行われた後、圧縮符号化部へ供給される。
【０１１１】
圧縮符号化部は、入力された水平方向８サンプル、垂直方向８ラインのブロックデータに対してＤＣＴ（離散コサイン変換）を行う圧縮回路４６、その結果を所定のデータ量まで圧縮できたかを見積もる見積器４８、及びその判断結果を基に最終的に量子化ステップを決定し、可変長符号化を用いたデータ圧縮を行う量子化器４７とから構成される。量子化器４７の出力は、フレーミング回路４９において図３５において説明したフォーマットにフレーム化される。
【０１１２】
図１１におけるモード処理マイコン６７は、人間とのマンマシンインターフェースを取り持つマイコンで、テレビジョン信号の垂直同期の周波数に同期して動作する。また、信号処理マイコン５５は、よりマシンに近い側で動作するものであり、ドラムの回転数９０００ｒｐｍ，１５０Ｈｚに同期して動作する。
【０１１３】
そして、ＶＡＵＸ，ＡＡＵＸ，ＳＵＢＣＯＤＥの各エリアのパックデータは、基本的にモード処理マイコンで生成されると共に、ＴＩＴＬＥ  ＥＮＤパック等に格納される絶対トラック番号は信号処理マイコン５５で生成され、後で所定の位置に嵌め込む処理が実行される。ＳＵＢＣＯＤＥ内に格納されるタイムコードデータも信号処理マイコン５５で生成される。
【０１１４】
これらの結果は、マイコンとハードウエアとの間を取り持つインターフェースＶＡＵＸ用ＩＣ５６、ＳＵＢＣＯＤＥ用ＩＣ５７及びＡＡＵＸ用ＩＣ５８に与えられる。ＶＡＵＸ用ＩＣ５６は、タイミングをはかって合成器５０でフレーミング回路４９の出力と合成する。また、ＳＵＢＣＯＤＥ用ＩＣ５７は、ＡＰ３、ＳＵＢＣＯＤＥのＩＤであるＳＩＤ、及びＳＵＢＣＯＤＥのパックデータＳＤＡＴＡを生成する。
【０１１５】
一方、入力オーディオ信号はＡ／Ｄ変換器５１によりディジタルオーディオ信号に変換される。なお、ビデオ信号及びオーディオ信号のＡＤ変換の際には、この図には示されていないが、サンプリング回路の前段にそのサンプリング周波数に応じたＬＰＦを設けることが必要である。ＡＤ変換されたオーディオデータは、シャフリング回路５２によりデータの分散処理を受けた後、フレーミング回路５３において図３３において説明したフォーマットにフレーム化される。この時ＡＡＵＸ用ＩＣ５８は、ＡＡＵＸのパックデータを生成しタイミングを見計らって、合成回路５４にてオーディオのＳＹＮＣブロック内の所定の場所にそれらを詰め込む。
【０１１６】
次にＶＡＵＸを例にパックデータの記録回路を説明する。図１２にその全体の流れを示す。まずモード処理マイコン６７でＶＡＵＸに格納すべきパックデータを生成する。それをＰ／Ｓ変換回路１１８にてシリアルデータに変換し、マイコン間の通信プロトコルに従って信号処理マイコン５５に送る。ここでＳ／Ｐ変換回路１１９にてパラレルデータに戻し、スイッチ１２２を介してバッファメモリ１２３に格納する。送られたパックデータのうちその５バイト毎の先頭のヘッダー部をパックヘッダー検出回路１２０にて抜き出し、そのパックが絶対トラック番号を必要とするパックかどうかを調べる。必要ならスイッチ１２２を切り換えて絶対トラック番号生成回路１２１から２３ビットのデータを８ビット刻みで格納する。格納エリアは、個々のパック構造において説明したようにすべて格納すべきパックのＰＣ１、ＰＣ２、ＰＣ３の固定位置である。
【０１１７】
ここで回路１１９は、マイコン内にあるシリアルＩ／Ｏであり、回路１２０、１２１、１２２はマイコンプログラムで構成され、回路１２３は、マイコン内のＲＡＭである。このようにパック構造の処理は、わざわざハードで組まなくても、マイコンの処理時間で間に合うためコスト的に有利なマイコンを使用する。
こうしてバッファメモリ１２３に格納されたデータは、ＶＡＵＸ用ＩＣ５６のライト側タイミングコントローラ１２５からの指示により、順々に読みだされる。この時前半の６パック分はメインエリア用、その後の３９０パック分はオプショナルエリア用として、スイッチ１２４を切り換える。
【０１１８】
メインエリア用のＦＩＦＯ１２６は３０バイト、オプショナルエリアのＦＩＦＯ１２７は１９５０バイト（５２５／６０システム）、若しくは２３４０バイト（６２５／５０システム）の容量を持つ。
ＶＡＵＸは、図１３の〔１〕に示されるようにトラック内ＳＹＮＣ番号１９、２０、１５６の所に格納される。またフレーム内トラック番号が、１、３、５、７、９の時、＋アジマスでＳＹＮＣ番号１９の前半にメインエリアが、フレーム内トラック番号が、０、２、４、６、８の時、−アジマスでＳＹＮＣ番号１５６の後半にメインエリアがある。これを１ビデオフレームでまとめて描いたのが、図１３の〔２〕である。このようにタイミング信号ｎＭＡＩＮ＝「Ｌ」の時が、メインエリアとなる。このような信号をリード側タイミングコントローラ１２９にて生成し、スイッチ１２８を切り換えその出力を合成回路５０へ渡す。
【０１１９】
ここで、ｎＭＡＩＮ＝「Ｌ」の時には、メインエリア用ＦＩＦＯ１２６のデータを繰り返し１０回（５２５／６０システム）、もしくは１２回（６２５／５０システム）読み取ることになる。ｎＭＡＩＮ＝「Ｈ」の時は、オプショナルエリア用ＦＩＦＯ１２７を読みだす。これは、１ビデオフレームに一回だけ読む。
図１４にモード処理マイコン内のパックデータ生成部を主として示す。まず大きく分けて回路は、メインエリア用とオプショナルエリア用とに分かれる。回路１３１は、メインエリア用データ収集生成回路である。ディジタルバスやチューナーから図のようなデータを受け取ると共に内部で１３９に示すようなデータ群を生成する。これをメインパックのビットバイト構造に組み立て、スイッチ１３２によりパックヘッダーを付加し、スイッチ１３６を介してＰ／Ｓ変換回路１１８に入力する。
【０１２０】
オプショナルエリア用データ収集生成回路１３３には、例えばチューナーからＴＥＬＥＴＥＸＴデータや番組タイトル等が入力され、これらを格納したパックデータが生成される。どのオプショナルエリアに記録するかはＶＴＲセットが個々に決定する。そのパックヘッダーを回路１３４により設定してスイッチ１３５により付加し、スイッチ１３６を介してＰ／Ｓ変換回路１３８に入力する。これらのタイミングは、タイミング調整回路１３７により行う。
ここでも前述のように回路１１８は、マイコン内にあるシリアルＩ／Ｏであり、回路１３１〜１３７はマイコンプログラムで構成される。
【０１２１】
図１１における発生器５９では、ＡＶ（Ａｕｄｉｏ／Ｖｉｄｅｏ）の各ＩＤ部とプリＳＹＮＣ、ポストＳＹＮＣの生成を行う。ここでは、ＡＰ１、ＡＰ２も生成し所定のＩＤ部にはめ込む。発生器５９の出力と、ＡＤＡＴＡ（ＡＵＤＩＯ
ＤＡＴＡ）、ＶＤＡＴＡ（ＶＩＤＥＯ  ＤＡＴＡ）、ＳＩＤ、ＳＤＡＴＡは、第１のスイッチング回路ＳＷ１によりタイミングを見て切り換えられる。
【０１２２】
そして、第１のスイッチング回路ＳＷ１の出力はパリティ生成回路６０において、所定のパリティが付加され、乱数化回路６１、２４／２５変換回路６２へ供給される。ここで、乱数化回路６１はデータの直流成分をなくすために入力データを乱数化する。また、２４／２５変換回路６２は、データの２４ビット毎に１ビットを付加してパイロット信号成分を付与する処理及びディジタル記録に適したプリコード処理（パーシャルレスポンスクラスＩＶ）を行う。
【０１２３】
こうして得られたデータは合成器６３へ供給され、ここでＡ／Ｖ  ＳＹＮＣ，及びＳＵＢＣＯＤＥ  ＳＹＮＣの発生器６４が生成したオーディオ、ビデオ及びＳＵＢＣＯＤＥのＳＹＮＣパターンが合成される。合成器６３の出力は第２のスイッチング回路ＳＷ２へ供給される。また、ＩＴＩ発生器６５が出力するＩＴＩデータとアンブルパターン発生器６６が出力するアンブルパターンも、第２のスイッチング回路ＳＷ２へ供給される。
【０１２４】
ＩＴＩ発生器６５には、モード処理マイコン６７からＡＰＴ，ＳＰ／ＬＰ，ＰＦの各データが供給される。ＩＴＩ発生器６５はこれらのデータをＴＩＡの所定の位置に嵌め込んで第２のスイッチング回路ＳＷ２へ供給する。したがって、スイッチング回路ＳＷ２を所定のタイミングで切り替えることにより、合成器６３の出力にアンブルパターン及びＩＴＩデータが付加される。第２のスイッチング回路ＳＷ２の出力は記録アンプ（図示せず）により増幅され、磁気ヘッド（図示せず）により磁気テープ（図示せず）に記録される。
【０１２５】
モード処理マイコン６７はディジタルＶＴＲ全体のモード管理を行う。このマイコンに接続された第３のスイッチング回路ＳＷ３は、ＶＴＲ本体の外部スイッチであり、様々なモードの記録動作及び再生動作を指示することができるように構成されたスイッチ群である。そして、このスイッチ群による設定結果はモード処理マイコン６７により検出され、マイコン間通信により信号処理マイコン５５、ＭＩＣマイコン６９及びメカ制御マイコン（図示せず）へ与えられる。
【０１２６】
以上の一連の記録動作は、モード処理マイコン６７を中心に、メカ制御マイコンや信号処理マイコン５５と各パート担当のＩＣとの連携動作で行われる。
なお、ＭＩＣマイコン６９はＭＩＣ処理用のマイコンである。ここでＭＩＣ内のパックデータやＡＰＭ等を生成し、ＭＩＣ接点（図示せず）を介してＭＩＣ付きカセット（図示せず）内のＭＩＣ６８へ与える。
【０１２７】
１─３．  ディジタルＶＴＲの再生回路
次に、図１５及び図１６を参照しながら本実施例におけるディジタルＶＴＲの再生回路について説明する。
これらの図において磁気ヘッド（図示せず）により磁気テープ（図示せず）から再生された微弱信号は、ヘッドアンプ（図示せず）により増幅され、イコライザー回路７１へ加えられる。イコライザー回路７１は、記録時に磁気テープと磁気ヘッドとの電磁変換特性を向上させるために行ったエンファシス処理（例えばパーシャルレスポンスクラスＩＶ）の逆処理を行うものである。
【０１２８】
イコライザー回路７１の出力からクロック抽出回路７２によりクロックＣＫを抜き出す。このクロックＣＫをＡ／Ｄ変換器７３へ供給し、イコライザー回路７１の出力をディジタル値化する。こうして得られた１ビットデータをクロックＣＫを用いてＦＩＦＯ７４に書き込む。
このクロックＣＫは、回転ヘッドドラムのジッター成分を含んだ時間的に不安定な信号である。しかしＡ／Ｄ変換する前のデータ自身もジッター成分を含んでいるので、サンプリングすること自体には問題はない。
【０１２９】
ところが、これから画像データ等を抜き出す時には、時間的に安定したデータになっていないと取り出せないので、ＦＩＦＯ７４を用いて時間軸調整を行う。つまり書き込みは不安定なクロックで行うが、読み出しは図３０に示されている水晶発信子等を用いた自励発信器９１からの安定したクロックＳＣＫで行う。ＦＩＦＯ７４の深さとしては、入力データの入力スピードよりも速く読み出さないような余裕のあるものにする。
【０１３０】
ＦＩＦＯ７４の各段の出力はＳＹＮＣパターン検出回路７５に加えられる。ここには、第５のスイッチング回路ＳＷ５により、各エリアのＳＹＮＣパターンが、タイミング回路７９により切り替えられて与えられる。ＳＹＮＣパターン検出回路７５はフライホイール構成になっており、一度ＳＹＮＣパターンを検出すると、それから所定のＳＹＮＣブロック長後に再び同じＳＹＮＣパターンが来るかどうかを見る。それが例えば３回以上正しければ真とみなすような構成にして、誤検出を防いでいる。ＦＩＦＯ７４の深さはこの数分は必要である。
【０１３１】
こうしてＳＹＮＣパターンが検出されると、ＦＩＦＯ７４の各段の出力からどの部分を抜き出せば一つのＳＹＮＣブロックが取り出せるか、そのシフト量が決定されるので、それを基に第４のスイッチング回路ＳＷ４を閉じて、必要なビットをＳＹＮＣブロック確定ラッチ７７に取り込む。これにより、取り込んだＳＹＮＣ番号をＳＹＮＣ番号抽出回路７８において取り出し、タイミング回路７９へ供給する。この読み込んだＳＹＮＣ番号によりトラック上のどの位置をヘッドが走査しているかがわかるので、それにより第５のスイッチング回路ＳＷ５及び第６のスイッチング回路ＳＷ６を切り替える。
【０１３２】
第６のスイッチング回路ＳＷ６は、ヘッドがＩＴＩエリアを走査している時下側に切り替わっており、減算器８０によりＩＴＩＳＹＮＣパターンを取り除いて、ＩＴＩデコーダ８１に加える。ＩＴＩエリアはコーディングして記録してあるので、それをデコードすることにより、ＡＰＴ、ＳＰ／ＬＰ、ＰＦの各データを取り出せる。これらのデータは、ＳＰ／ＬＰモードを設定する第７のスイッチング回路ＳＷ７が接続されたモード処理マイコン８２へ与えられる。モード処理マイコン８２はディジタルＶＴＲ全体の動作モード等を決めるものであり、メカ制御マイコン８５や信号処理マイコン１００と連携を取って、セット全体のシステムコントロールを行う。
【０１３３】
モード処理マイコン８２には、ＡＰＭ等を管理するＭＩＣマイコン８３が接続されている。ＭＩＣ付きカセット（図示せず）内のＭＩＣ８４からの情報は、ＭＩＣ接点スイッチ（図示せず）を介してこのＭＩＣマイコン８３に与えられ、モード処理マイコン８２と役割分担しながら、ＭＩＣの処理を行う。セットによっては、このＭＩＣマイコン８３は省略され、モード処理マイコン８２でＭＩＣ処理を行う場合もある。
【０１３４】
ヘッドがオーディオエリア、ビデオエリア、或るいはＳＵＢＣＯＤＥエリアを走査している時には、第６のスイッチング回路ＳＷ６は上側に切り替わっている。減算器８６により各エリアのＳＹＮＣパターンを抜き出した後、２４／２５逆変換回路８７を通し、さらに逆乱数化回路８８に加えて、元のデータ列に戻す。こうして取り出したデータをエラー訂正回路８９に加える。
【０１３５】
エラー訂正回路８９では、記録側で付加されたパリティを用いて、エラーデータの検出、訂正を行うが、どうしても取りきれなかったデータはＥＲＲＯＲフラグをつけて出力する。各データは第８のスイッチング回路ＳＷ８により切り替えられて出力される。ＡＶ  ＩＤ，プリＳＹＮＣ，ポストＳＹＮＣ抽出回路９０は、Ａ／Ｖエリア及びプリＳＹＮＣとポストＳＹＮＣに格納されていたＳＹＮＣ番号、トラック番号、それにプリＳＹＮＣに格納されていたＳＰ／ＬＰの各信号を抜き出す。これらはタイミング回路７９に与えられ各種タイミングの生成に使用される。なお、上記抽出回路９０においては、ＡＰ１、ＡＰ２も抜き出され、これはモード処理マイコン８２ヘ供給されてチェックが行われる。ＡＰ１、ＡＰ２＝０００の時には通常通り動作するが、それ以外の値の時は警告処理等のウォーニング動作を行う。
【０１３６】
ＳＰ／ＬＰについては、モード処理マイコン８２がＩＴＩから得られたものとの比較検討を行う。ＩＴＩエリアには、その中のＴＩＡエリアに３回ＳＰ／ＬＰ情報が書かれており、そこだけで多数決等を取って信頼性を高める。プリＳＹＮＣは、オーディオ、ビデオにそれぞれ２ＳＹＮＣづつあり、計４箇所ＳＰ／ＬＰ情報が書かれている。ここもそこだけで多数決等を取って信頼性を高める。そして最終的に両者が一致しなかった場合には、ＩＴＩエリアのものを優先して採用する。
【０１３７】
第８のスイッチング回路ＳＷ８から出力されたＶＤＡＴＡは、図１６に示される第９のスイッチング回路ＳＷ９によりビデオデータとビデオ付随データに切り分けられる。そして、ビデオデータはエラーフラグと共にデフレーミング回路９４に与えられる。
デフレーミング回路９４は記録側のフレーミングの逆変換をする所で、その中に詰め込まれたデータの性質を把握している。そこであるデータに取りきれなかったエラーがあったとき、それがそのほかのデータにどう影響を及ぼすかを理解しているので、ここで伝播エラー処理を行う。これによりＥＲＲＯＲフラグは、新たに伝播エラーを含んだＶＥＲＲＯＲフラグとなる。また、エラーを有するデータであっても画像再現上重要でないものは、その画像データにある細工をして、エラーフラグを消してしまう処理も、このデフレーミング回路９４で行う。
【０１３８】
ビデオデータは逆量子化回路９５、逆圧縮回路９６を通して、圧縮前のデータに戻される。次にデシャフリング・デブロッキング回路９７により、データをもとの画像空間配置に戻す。この実画像空間にデータを戻して初めて、ＶＥＲＲＯＲフラグを基に画像の補修が可能になる。つまり、例えば常に１フレーム前の画像データをメモリに記憶させておき、エラーとなった画像ブロックを前の画像データで代用してしまうような処理が行われる。
【０１３９】
さてデシャフリング以降は、ＤＹ，ＤＲ，ＤＢの３系統にデータを分けて扱う。そしてＤ／Ａ変換器１０１〜１０３によりＹ、Ｒ−Ｙ、Ｂ−Ｙの各アナログ成分に戻される。この時のクロックは発振回路９１の出力とそれを分周器９２にて分周した出力を用いる。つまりＹは、１３．５ＭＨＺ  、Ｒ−Ｙ、Ｂ−Ｙは、６．７５ＭＨＺ  または３．３７５ＭＨＺ  である。
【０１４０】
こうして得られた３つの信号成分は、Ｙ／Ｃ合成回路１０４において合成され、さらに合成器１０５において同期信号発生回路９３からのコンポジット同期信号と合成され、コンポジットビデオ信号として端子１０６から出力される。
第８のスイッチング回路ＳＷ８から出力されたＡＤＡＴＡは、図１６に示される第１０のスイッチング回路ＳＷ１０によりオーディオデータとオーディオ付随データに切り分けられる。そして、オーディオデータはＥＲＲＯＲフラグと共にデフレーミング回路１０７に与えられる。
【０１４１】
デフレーミング回路１０７は、記録側のフレーミングの逆変換をする所で、その中に詰め込まれたデータの性質を把握している。そこであるデータに取りきれなかったエラーがあったとき、それがそのほかのデータにどう影響を及ぼすかを理解しているので、ここで伝播エラー処理を行う。例えば、１６ビットサンプリングの時、１つのデータは８ビット単位なので、１つのＥＲＲＯＲフラグは、新たに伝播エラーを含んだＡＥＲＲＯＲフラグとなる。
【０１４２】
オーディオデータは、次のデシャフリング回路１０８により元の時間軸上に戻される。この時、先ほどのＡＥＲＲＯＲフラグを基にオーディオデータの補修作業を行う。つまり、エラー直前の音で代用する前値ホールド等の処理を行う。エラー期間があまりに長く、補修が効かない場合には、ミューティング等の処置をして音そのものを止めてしまう。
【０１４３】
このような処置をした後、Ｄ／Ａ変換器１０９によりアナログ値に戻し、画像データとのリップシンク等のタイミングを取りながら、アナログオーディオ出力端子１１０から出力する。
さて、第９のスイッチング回路ＳＷ９及び第１０のスイッチング回路ＳＷ１０により切り分けられたＶＡＵＸ、ＡＡＵＸの各データは、それぞれＶＡＵＸ用ＩＣ９８及びＡＡＵＸ用ＩＣ１１１においてエラーフラグも参考にしながら多数決処理等の前処理を行う。
【０１４４】
また、第８のスイッチング回路ＳＷ８から出力されたＳＵＢＣＯＤＥエリアのＩＤデータＳＩＤとパックデータＳＤＡＴＡは、ＳＵＢＣＯＤＥ用ＩＣ１１２に与えられ、ここでもエラーフラグも参考にしながら多数決処理等の前処理を行う。これらの前処理が行われたデータは、その後、信号処理マイコン１００に与えられ、最終的な読み取り動作を行う。そして、前処理において取りきれなかったエラーは、それぞれＶＡＵＸＥＲ、ＳＵＢＥＲ、ＡＡＵＸＥＲとして信号処理マイコン１００に与えられる。
【０１４５】
ここでＳＵＢＣＯＤＥ用ＩＣ１１２はＡＰ３、及びＡＰＴを抜き出し、これらを信号処理マイコン１００を介してモード処理マイコン８２に渡してチェックをする。モード処理マイコン８２は、ＩＴＩからのＡＰＴ、及びＳＵＢＣＯＤＥからのＡＰＴにもとづいてＡＰＴの値を確定すると共に、この値が「０００」でない時は警告処理等の動作を行う。また、ＡＰ３＝０００の時には通常通り動作するが、それ以外の値の時は警告処理等のウォーニング動作を行う。
【０１４６】
ここで、パックデータのエラー処理について補足すると、各々のエリアにはメインエリアとオプショナルエリアがある。そして５２５／６０システムの場合には、同じデータがメインエリアに１０回書かれている。従ってそのうちいくつかがエラーしていても、その他のデータで補足再現できるのでそこのＥＲＲＯＲフラグはもはやエラーではなくなる。ただしＳＵＢＣＯＤＥ以外のオプショナルエリアについてはデータは１回書きなので、エラーはそのままＶＡＵＸＥＲ、ＡＡＵＸＥＲとして残ることになる。
【０１４７】
信号処理マイコン１００は、さらに各データのパックの前後関係などから類推して、伝播エラー処理やデータの補修処理等を行う。こうして判断した結果は、モード処理マイコン８２に与えられ、セット全体の挙動を決める材料にする。
次にＶＡＵＸを例にＶＡＵＸ用ＩＣ９８及び信号処理マイコン１００におけるパックデータの再生回路を説明する。ここでは、前処理として多数決処理ではなく、エラーの場合にはメモリに書き込まないという単純な処理方式を用いた構成例について説明する。図１７にＶＡＵＸ用ＩＣ９８の回路例を示す。まずスイッチング回路ＳＷ９からきたＶＡＵＸパックデータを、ライト側コントローラ１４２により図３１のｎＭＡＩＮ＝「Ｌ」のタイミングで、スイッチ１４１を切り換えることによりメインエリア用メモリ１４５及びオプショナルエリア用ＦＩＦＯ１４８に振り分ける。
【０１４８】
メインエリアのパックデータは、パックヘッダー検出回路１４３によりそのヘッダーを読み取ってスイッチ１４４を切り換える。そしてＥＲＲＯＲでない時だけデータをメインエリア用メモリに書き込む。このメモリは、９ビット構成になっており、図で網点がかかっている部分はエラーフラグの格納ビットである。
メインエリア用メモリの初期設定としては、１ビデオフレーム毎にその内容をすべてオール１（＝情報無し）にしておく。そしてＥＲＲＯＲだったらなにもせず、ＥＲＲＯＲでなければそのデータを書き込むと共にエラーフラグに０を書き込んでおく。メインエリアには１フレームにつき同じパックが１０回、もしくは１２回書きされているので１ビデオフレーム終了時点でエラーフラグに１が立っているところが、最終的にエラーと認識される。
【０１４９】
オプショナルエリアは、基本的に１回書きなので、ＥＲＲＯＲフラグをそのままデータと共にオプショナルエリア用ＦＩＦＯ１４８に書き込む。これらをリード側タイミングコントローラ１４９によって切り換えられるスイッチ１４６、１４７を介して信号処理マイコン１００へ送る。
信号処理マイコン１００では、送られてきたパックデータとエラーフラグから解析を行う。信号処理マイコン１００における処理動作を図１８を参照して説明する。この図においてパックヘッダー識別回路１５０により、ＶＡＵＸ用ＩＣ９８から送られてきたパックデータ（ＶＡＵＸＤＴ）の振り分けを行い、メモリ１５１に貯える。これは、メインエリア、オプショナルエリアの区別は特にしない
。
【０１５０】
メインエリアのパックの場合には、ＶＡＵＸ用ＩＣ９８と同じく、ＶＡＵＸＥＲにエラーフラグ「１」が立っている時には書き込み処理を行わない。これにより少なくとも１ビデオフレーム前の値で補修ができる。メインエリアの内容は、１ビデオフレーム前の値と非常に相関が強いと考えられるので、この処理で代用してしまっても特に問題は生じない。
【０１５１】
一方、オプショナルエリアのパックの場合には、１ビデオフレーム前の値と全く相関がないと考えられるので、そのパック単位でエラー伝播処理を行う。
この方法は、基本的には５バイト固定長のパックデータの中にエラーが有れば全データをＦＦｈとする「情報無しパック」に変更することにより行われるが、パック個別対応も必要となる。例えば、Ｔｅｌｅｔｅｘｔデータが格納される「Ｔｅｌｅｔｅｘｔ」パックの場合には、そのパックがいくつも続く関係から、その間のパックヘッダーにエラーがあっても容易にＴｅｌｅｔｘｔパックヘッダーに置き換えが可能である。またデータ部にエラーがあっても、パックヘッダーにエラーが無ければそのパックを「情報無しパック」に変更することはしない。これは、そのＴｅｌｅｔｅｘｔデータの復元を、Ｔｅｌｅｔｅｘｔデコーダーのパリティチェックに委ねているからで、エラーとわかってもデータはそのままにしておく。
【０１５２】
即ち、本実施例のディジタルＶＴＲにおいては、図１５の再生回路では記載を省略しているが、テキストデータ、Ｔｅｌｅｔｅｘｔデータ等のようにデータ量が多く、かつ、１連のデータシーケンスとして特徴のあるパックデータについては、それぞれ信号処理マイコン１００から専用のデータ処理回路へ受け渡して、より高能率のエラー補正を実行すると共に、モード処理マイコン８２に対する負荷の軽減を行うようにしている。
【０１５３】
以上のような信号処理マイコン１００における処理により整えられたデータには、すでにエラーフラグは存在しない。これらをＰ／Ｓ変換回路１５２にてシリアルデータに変換し、マイコン間の通信プロトコルに従ってモード処理マイコン８２に送る。ここでＳ／Ｐ変換回路１５３にてパラレルデータに戻し、パックデータ分解解析を行う。
【０１５４】
ここで回路１５０、１５５、及びスイッチ１５４はマイコンのプログラムで構成されると共に、メモリ１５１はマイコン内部のメモリ、回路１５２、及び１５３はマイコン内部のシリアルＩ／Ｏである。
モード処理マイコン８２におけるパックデータの分解解析においては、確定されたパックヘッダーに基づいてパックデータの解析を行い、解析結果として得られる種々の制御情報、表示情報等をそれぞれの制御回路、表示回路等へ供給する。
【０１５５】
以上、本実施例のディジタルＶＴＲの概要を５２５／６０システムの場合を中心に説明したが、本実施例のディジタルＶＴＲは、このシステムに限らず他のＳＤ（Ｓｔａｎｄａｒｄ  Ｄｅｎｓｉｔｙ）方式である６２５／５０システム、並びにＨＤ（Ｈｉｇｈ  Ｄｅｎｓｉｔｙ）方式である１１２５／６０システム及び１２５０／５０システムにも直ちに適用できるものである。
【０１５６】
２．  アプリケーションＩＤシステム
以上、本実施例におけるディジタルＶＴＲの概要について説明したが、このディジタルＶＴＲは、画像圧縮記録方式の民生用ディジタルＶＴＲに限らずそれ以外の種々のディジタル信号記録再生装置として容易に商品展開できるように基本設計されている。そして、前述のディジタルＶＴＲの説明の中で現れたＩＤデータＡＰＴ，ＡＰ１〜ＡＰ３，ＡＰＭが、このような種々のディジタル信号記録装置への展開を可能ならしめる役割を担うものであり、これらのＩＤデータを一括してアプリケーションＩＤと呼ぶ。
【０１５７】
そこで、次に、このアプリケーションＩＤシステムについて補足説明する。
上記のアプリケーションＩＤは、ディジタルＶＴＲの応用例を決めるＩＤではなく単に記録媒体のエリアのデータ構造を決定するだけのＩＤであり、ＡＰＴ及びＡＰＭについては前述のとおり以下の意味付けがなされている。
ＡＰＴ・・・トラック上のデータ構造を決める。
ＡＰＭ・・・ＭＩＣのデータ構造を決める。
【０１５８】
即ち、まず、ＡＰＴの値により、このディジタル信号記録再生装置におけるトラック上のデータ構造が規定される。つまり、ＩＴＩエリア以降のトラックが、ＡＰＴの値に応じて図１９のようにいくつかのエリアに分割され、それらのトラック上の位置、ＳＹＮＣブロック構成、エラーからデータを保護するためのＥＣＣ構成等のデータ構造が一義的に決まる。さらに各エリアには、それぞれそのエリアのデータ構造を決めるアプリケーションＩＤが存在する。その意味付けは以下のようになる。
エリアｎのアプリケーションＩＤ・・・エリアｎのデータ構造を決める。
【０１５９】
そして、テープ上のアプリケーションＩＤは、図２０のような階層構造を持つ。すなわち、おおもとのアプリケーションＩＤであるＡＰＴによりトラック上のエリアが規定され、その各エリアにさらにＡＰ１〜ＡＰｎが規定される。エリアの数は、ＡＰＴにより定義される。図２０では二階層で書いてあるが、必要ならさらにその下に階層を設けてもよい。このようにＡＰＴ，ＡＰ１〜ＡＰｎの値を指定することによって、このディジタル信号記録再生装置の具体的信号処理の構成及び該装置の用途が特定される。
【０１６０】
なお、ＭＩＣ内のアプリケーションＩＤであるＡＰＭは一階層のみであり、その値は、そのディジタル信号記録再生装置によりそのＡＰＴと同じ値が書き込まれる。
このアプリケーションＩＤシステムにより、民生用のディジタルＶＴＲを、そのカセット、メカニズム、サーボシステム、ＩＴＩエリアの生成検出回路等をそのまま流用して、全く別の商品群、例えばデータストリーマーやマルチトラック・ディジタルオーディオテープレコーダーのようなものを作り上げることが可能である。また１つのエリアが決まっても、その中味をさらにそのエリアのアプリケーションＩＤで定義できるので、あるアプリケーションＩＤの値の時はそこはビデオデータ、別の値の時はビデオ・オーディオデータ、またはコンピューターデータというように非常に広範な商品展開が可能である。
【０１６１】
次に、アプリケーションＩＤの値が指定された場合の具体例について説明する。
まず、ＡＰＴ＝０００の時の様子を図２１に示す。この時トラック上にエリア１、エリア２、エリア３が規定される。そしてそれらのトラック上の位置、ＳＹＮＣブロック構成、エラーからデータを保護するためのＥＣＣ構成、それに各エリアを保証するためのギャップや重ね書きを保証するためのオーバイライトマージンが決まる。さらに各エリアには、それぞれそのエリアのデータ構造を決めるアプリケーションＩＤが存在する。その意味付けは以下のようになる。
【０１６２】
ＡＰ１・・・エリア１のデータ構造を決める。
ＡＰ２・・・エリア２のデータ構造を決める。
ＡＰ３・・・エリア３のデータ構造を決める。
そしてこの各エリアのＡｐｐｌｉｃａｔｉｏｎ  ＩＤが、０００の時を以下のように定義する。
【０１６３】
ＡＰ１＝０００・・・画像圧縮記録方式民生用ディジタルＶＴＲのオーディオ、ＡＡＵＸのデータ構造を採る
ＡＰ２＝０００・・・画像圧縮記録方式民生用ディジタルＶＴＲのオーディオ、ＡＡＵＸのデータ構造を採る
ＡＰ３＝０００・・・画像圧縮記録方式民生用ディジタルＶＴＲのサブコード、ＩＤのデータ構造を採る
すなわち、画像圧縮記録方式民生用ディジタルＶＴＲを実現するときは、ＡＰＴ、ＡＰ１、ＡＰ２、ＡＰ３＝０００となる。このとき、当然、ＡＰＭも０００となる。
【０１６４】
３．記録・再生開始位置の制御
次に、本願の課題であるＶＴＲにおける記録再生の際のテープ上の開始位置の制御方法について説明する。
【０１６５】
３−１．  ＴＡＧパックのみを使用する方法
本実施例のディジタルＶＴＲにおいては、前述のようにＴＡＧパックは単独でイベントとしてＭＩＣ内に存在することができるので、このＴＡＧパックを用いるのみでも記録或るいは再生の際の開始位置の制御が可能である。以下に、この場合の構成について説明する。なお、以下の説明においては、ＭＩＣ内に格納するパックもモード処理マイコンによって生成され、これがＭＩＣマイコンを介してＭＩＣに記録されるように構成されたディジタルＶＴＲの場合について述べる。
【０１６６】
▲１▼  再生開始位置の制御
例えば、このディジタルＶＴＲにより再生されている画像を見ている途中で中座するときには、このディジタルＶＴＲに設けられている再生開始位置予約ボタンを押すことによって、このボタンが押された時点の再生トラックの絶対トラック番号を記憶させておくことができる。この記憶動作は、具体的には、このボタンが押されたことをまずモード処理マイコンが検知し、これに基づいて該モード処理マイコンは、このボタンが押された時点に記録トラックのＳＵＢＣＯＤＥエリアから再生された絶対トラック番号を読み出し、更に、ＴＡＧ  ＩＤが「１０１１」のＴＡＧパック（即ち、ＰＢ  ＳＴＡＲＴ  ＰＯＩＮＴのＴＡＧパック）にこの絶対トラック番号を格納し、このＴＡＧパックをＭＩＣマイコンを介してＭＩＣに記録することによって行われる。図２２は、この場合のテープ上の再生開始位置とＴＡＧの関係を示したものである。
【０１６７】
そして、このディジタルＶＴＲには通常の再生ボタンの外に、上記の予約された再生開始位置から再生動作を実行させるための予約再生開始ボタンが設けられており、ユーザーは、随時このボタンを押すことによって予約した再生開始位置から再生動作を実行させることができる。この再生動作も主にモード処理マイコンによって全体の制御が行われるように構成されており、モード処理マイコンは、このボタンが押されたことを検知すると、ＭＩＣマイコンを介してＭＩＣのオプショナルエリアのサーチを行い、ＰＢ  ＳＴＡＲＴ  ＰＯＩＮＴのＴＡＧパックに格納されている絶対トラック番号を読み出す。
【０１６８】
そして、この読み出された絶対トラック番号の位置から再生動作を開始するようにメカ制御マイコンへ指令を出すことにより、高速で目的とする再生開始位置までテープを走行させてから再生動作が開始される。このように、指定された開始位置情報をカセット自身が記憶しているので、開始位置が指定された後カセットがＶＴＲからイジェクトされても、このカセットをＶＴＲに装填すれば正確に予約された開始位置から再生動作が開始される。
【０１６９】
▲２▼  録画開始位置の制御
また、本ディジタルＶＴＲには録画開始位置指定ボタンも設けられており、例えば、テープの再生中に不要記録部分の先頭位置を見つけたときには、このボタンを押すことによってこの先頭位置を録画開始位置として記憶しておくことができる。この記憶動作は、ボタンが押された時点に再生トラックから再生された絶対トラック番号をＲＥＣ  ＳＴＡＲＴ  ＰＯＩＮＴのＴＡＧパック（ＴＡＧ  ＩＤ＝１０１０）に格納してＭＩＣに記録することにより行われる。この場合の記録開始位置とＴＡＧの関係を示すと図２３のようになる。その後、ユーザーが録画ボタンを押したときには、まず、ＭＩＣの中がサーチされ、このパックが見つかるとこの記憶された絶対トラック番号位置までテープを走行させてから録画動作が開始される。
【０１７０】
なお、ＭＩＣ内に上記のＴＡＧパックが存在しなかったときは、次の３−２．の▲１▼において説明するように、記録ヘッドの現在位置から記録する、或るいは、ＬＡＳＴ  ＲＥＣ  ＰＯＩＮＴのＴＡＧパックに格納されている最後記録位置、及びＴＩＴＬＥ  ＥＮＤパックに格納された最終記録位置のうち最適な方の記録位置を選択して記録する、等の種々の方法を採用することができる。
【０１７１】
３−２．  複数パックから成るイベントを使用する方法
次に、複数パックから成るイベントを使用して記録動作或るいは再生動作の制御を行う場合の開始位置の制御について説明する。
【０１７２】
▲１▼  タイマー録画予約における開始位置の制御
タイマー録画予約イベントは、前述の通り、基本的にはＴＩＭＥＲ  ＲＥＣ
ＤＡＴＥパック、ＴＩＭＥＲ  ＲＥＣ  Ｓ／Ｓパック、及びＶＡＵＸ  ＳＯＵＲＣＥパックから構成される。これを模式的に簡略化して示したのが図２４の〔１〕である。そして、タイマー録画予約イベントがこのように３パックのみから構成されているときは、録画開始位置は現在の記録ヘッドの位置となる。
【０１７３】
これに対し、本ディジタルＶＴＲは、タイマー録画予約設定時に前述の録画開始位置指定ボタンも操作すると、このボタン操作時における再生トラックの番号が読み取られて、図１の（３）に示されるパックに基づくＲＥＣ  ＳＴＡＲＴ
ＰＯＩＮＴパックに格納され、この生成されたパックが、図２４の〔２〕に示されるように、上記の３パックに対して付け加えられるように構成されている（即ち、タイマー録画予約設定時には、３−１．の▲２▼において説明した場合とは異なるパックを生成するようにモード処理マイコンがプログラムされている）。そして、かかるボタン操作を行った後、ユーザーがディジタルＶＴＲをタイマー録画予約待機状態に設定すると、テープが自動的に指定された録画開始位置まで走行してから録画待機状態となる。
【０１７４】
なお、この録画開始位置をユーザーに表示したいときは、図２４の〔２〕に示されるイベントに対して、更に図１の（４）に示されるパックを用いてタイムコード表現のＲＥＣ  ＳＴＡＲＴ  ＰＯＩＮＴパックを付け加え、モード処理マイコンが、このパック内容を表示するための制御動作を実行するようにプログラムを構成しておく。
【０１７５】
上記のＲＥＣ  ＳＴＡＲＴ  ＰＯＩＮＴパックの生成もモード処理マイコンによって実行されるが、その際、モード処理マイコンが、ＴＩＴＬＥ  ＥＮＤパックに格納されているデータとユーザーが指定した録画開始位置とに基づいてテープの残量を算出すると共に、タイマー録画予約イベントの中のデータに基づいて録画に必要なテープ量も算出し、更に、この録画に必要なテープ量と前記の算出された残量を比較してテープ残量が不足であると判断されたときには、録画開始位置を設定し直すようにユーザーに対して指令を出すように構成することもできる。
【０１７６】
この場合、録画に必要なテープ量は、ＴＩＭＥＲ  ＲＥＣ  Ｓ／Ｓパックの格納データから計算される録画所要時間、ＴＩＭＥＲ  ＲＥＣ  ＤＡＴＥパック内の記録モード（ＳＰ／ＬＰ）を表すＳＬフラグ、及びＶＡＵＸ  ＳＯＵＲＣＥパック内のテレビジョン信号の方式に関する情報から直ちに計算できる。
【０１７７】
なお、タイマー録画予約設定時にユーザーが録画開始位置指定ボタンを押さなかった場合、前述のように現在の記録ヘッドの位置を録画開始位置とする代わりに、予め録画開始位置を決定する際の優先順位を、例えば、１）ＲＥＣ  ＳＴＡＲＴ  ＰＯＩＮＴのＴＡＧパックに格納されている録画開始位置、２）ＴＩＴＬＥ  ＥＮＤパックに格納されている最終録画位置、３）ＬＡＳＴ  ＲＥＣ  ＰＯＩＮＴのＴＡＧパックに格納されている最後記録位置、等のように設定しておき、モード処理マイコンによってこの優先順位及びテープ残量を判断して録画開始位置を決定し、更に、この決定された録画開始位置のデータを図１の（３）のパックに基づくＲＥＣ  ＳＴＡＲＴ  ＰＯＩＮＴパックに格納し、このパックをタイマー録画予約イベントに加えるようにしてもよい。
【０１７８】
この場合のモード処理マイコンの動作フローの１例を図２５により説明する。この図において、まず、ＭＩＣ内をサーチしてＲＥＣ  ＳＴＡＲＴ  ＰＯＩＮＴのＴＡＧパックが格納されているかどうかを調べる（ステップＳＴ１）。そして、このＴＡＧパックが存在していたときはＴＡＰＥ  ＬＥＮＧＴＨパックのデータを用いてＴＡＧパックに格納されている記録開始位置からのテープの残量を計算すると共に、この残量が録画に十分なものであるかどうかを判断し（ステップＳＴ２）、残量が十分のときは、このＴＡＧパックに格納されている記録開始位置を図１の（３）のパックによるＲＥＣ  ＳＴＡＲＴ  ＰＯＩＮＴパックに格納し、これをタイマー録画予約イベントに加える（ステップＳＴ３）。
【０１７９】
ステップＳＴ２において残量不足と判断されたときは、▲１▼のフローへ移行して、まず、録画開始位置を新たに設定するようユーザーに指令を出す（ステップＳＴ４）。ユーザーにより新たな録画開始位置が設定されたら、その位置からのテープ残量を算出してこれが十分かどうかを判断し、不十分であれば残量が十分な録画開始位置が設定されるまでユーザーに対して録画開始位置の設定し直しを指令する（ステップＳＴ４〜ステップＳＴ６のループの繰り返し）。ステップＳＴ６において残量が十分と判断されたら、設定された録画開始位置をＲＥＣ  ＳＴＡＲＴ  ＰＯＩＮＴパックに格納してタイマー録画予約イベントに加える（ステップＳＴ７）。
【０１８０】
ステップＳＴ１における調査において、ＭＩＣ内にＲＥＣ  ＳＴＡＲＴ  ＰＯＩＮＴのＴＡＧパックが存在しなかった場合は、ＴＩＴＬＥ  ＥＮＤパックに格納されている最終記録位置からのテープ残量を算出してこれが録画に十分なものであるかどうかを判断し（ステップＳＴ８）、十分なときは、更に、ＭＩＣ内にＬＡＳＴ  ＲＥＣ  ＰＯＩＮＴのＴＡＧパックが存在するかどうかを調べる（ステップＳＴ９）。このＴＡＧパックが存在するときは、ユーザーに対してＴＡＧパックの最後記録位置及びＴＩＴＬＥ  ＥＮＤパックの最終記録位置のうちいずれを録画開始位置とするかを質問する（ステップＳＴ１０）。そして、ユーザーによって回答されたパックに格納されている絶対トラック番号をＲＥＣ  ＳＴＡＲＴ  ＰＯＩＮＴパックに格納してタイマー録画予約イベントに付け加える（ステップＳＴ１１、１２）。
【０１８１】
ステップＳＴ９における調査においてＴＡＧパックが存在しなかったときは、ＴＩＴＬＥ  ＥＮＤパックの最終記録位置を録画開始位置とするＲＥＣ  ＳＴＡＲＴ  ＰＯＩＮＴパックを生成する（ステップＳＴ１２）。また、ステップＳＴ８の判断において、ＴＩＴＬＥ  ＥＮＤパックの最終記録位置からのテープ残量が不十分のときは前述のフロー▲１▼へ移行し、録画を可能ならしめる新たな録画開始位置をユーザーに設定させる。
【０１８２】
なお、ステップＳＴ８における判断結果がＮＯのとき直ちに▲１▼のフローを実行するのではなく、図２６に示されるようにステップＳＴ１３、ステップＳＴ１４を介在させてもよい。即ち、この図のフローにおいては、ステップＳＴ８での判断結果がＮＯのときは、ＭＩＣ内にＬＡＳＴ  ＲＥＣ  ＰＯＩＮＴのＴＡＧパックが存在するかどうかを調べ（ステップＳＴ１３）、存在するときはその最後記録位置からのテープ残量が十分であるかどうかを判断する（ステップＳＴ１４）。
【０１８３】
そして、残量が十分であるときは、この最後記録位置を録画開始位置とするＲＥＣ  ＳＴＡＲＴ  ＰＯＩＮＴパックを生成する（ステップＳＴ１１）。ステップＳＴ１３における調査においてＬＡＳＴ  ＲＥＣ  ＰＯＩＮＴのＴＡＧパックが存在しなかったとき、或るいは、ステップＳＴ１４の判断においてテープ残量が不十分のときは前述の▲１▼のフローへ移行して録画の可能な録画開始位置を再設定する。
【０１８４】
更に、図２５及び図２６において実行されるフロー▲１▼を、図２７に示される
フロー▲２▼のように変更してもよい。この▲２▼のフローでは、図２５におけるステップＳＴ２及びステップＳＴ８、並びに図２６におけるステップＳＴ１３及びステップＳＴ１４における判断結果がＮＯのときは、現在のヘッド位置からのテープ残量が十分であるかどうかが判断され（ステップＳＴ２２）、これがＹＥＳのときは、このヘッド位置が録画開始位置となる。この判断結果がＮＯのときは上記の▲１▼のフローと同じプログラムが実行される。
【０１８５】
以上に説明したように、本実施例のディジタルＶＴＲでは、モード処理マイコンによって、ＲＥＣ  ＳＴＡＲＴ  ＰＯＩＮＴのＴＡＧパック或るいはＴＩＴＬＥ  ＥＮＤパックに格納された絶対トラック番号に基づいて録画開始位置を決定する外、ＬＡＳＴ  ＲＥＣ  ＰＯＩＮＴのＴＡＧパックに格納された絶対トラック番号に基づいても録画開始位置を決定できるように構成されている。そこで、本ディジタルＶＴＲでは、録画開始位置決定の際におけるＭＩＣ内のＬＡＳＴ
ＲＥＣ  ＰＯＩＮＴのＴＡＧパックのサーチを容易ならしめるために、このＴＡＧパックをＭＩＣ内に記録するときには、その記録位置が常にＭＩＣのオプショナルエリアの先頭位置となるように規定されている。
【０１８６】
▲２▼  タイマー再生予約における開始位置の制御
本ディジタルＶＴＲにおけるタイマー再生予約のイベントは、図２８に示されるようにＴＩＭＥＲ  ＲＥＣ  ＤＡＴＥパック、ＴＩＭＥＲ  ＲＥＣ  Ｓ／Ｓパック、及び図１の（３）のパックによるＰＢ  ＳＴＡＲＴ  ＰＯＩＮＴパックから構成される。即ち、モード処理マイコンは、このイベントにおける３番目のパックがＰＢ  ＳＴＡＲＴ  ＰＯＩＮＴパックであることからタイマー予約再生イベントであることを判別して、設定された時刻から再生動作を開始する。
【０１８７】
なお、タイマー予約再生設定時にユーザーが再生開始位置を設定しなかったときは、ＭＩＣ内をサーチしてＰＢ  ＳＴＡＲＴ  ＰＯＩＮＴのＴＡＧパックが存在するかどうかを調べ、存在すればその再生開始位置を有する図１の（３）のパックによるＰＢ  ＳＴＡＲＴ  ＰＯＩＮＴパックを生成してタイマー予約再生イベントに付け加えるようにモード処理マイコンがプログラムされている。また、上記のＴＡＧパックが存在しないときはユーザーに対して再生開始位置の指定を要求する。以上に述べたモード処理マイコンの動作フローを示すと図２９のようになる。
【０１８８】
以上に説明した記録再生における開始位置の制御では、開始位置を指定するパックの生成をモード処理マイコンが行うようにしているが、これに代え、モード処理マイコンからの指令、データ等に基づいてＭＩＣマイコンがパックを生成し、これをＭＩＣ内に記録するようにしてもよい。また、開始位置を指定するパックを、ＭＩＣに記録する代わりにＶＴＲ本体のメモリに記録する、或るいは、ビデオテープ上に記録するようにしてもよい。
【０１８９】
この場合、ビデオテープ上に記録する方法としては、例えば、ＰＢ  ＳＴＡＲＴ  ＰＯＩＮＴパック（もしくはＲＥＣ  ＳＴＡＲＴ  ＰＯＩＮＴパック）を再生開始位置（もしくは記録開始位置）以降のすべてのトラックのＳＵＢＣＯＤＥに記録するようにする。そして、再生動作（もしくは記録動作）を実行するときは、このＳＴＡＲＴ  ＰＯＩＮＴのパックが記録されている最初のトラックを見つけだしてそのトラックから再生動作（もしくは記録動作）を開始するように制御を行う。
【０１９０】
以上、ディジタルＶＴＲを例に挙げて記録再生における開始位置の制御方法を説明したが、アナログＶＴＲにおいても、同様にして開始位置の制御を実行できる。但し、この場合は、テープ上に絶対トラック番号が記録されていないので、テープ上に記録されるタイムコードを位置規定信号として利用する。そして、開始位置をタイムコードで指定するために、ＴＡＧパック、ＲＥＣ  ＳＴＡＲＴ
ＰＯＩＮＴパック、ＰＢ  ＳＴＡＲＴ  ＰＯＩＮＴパック、ＴＩＴＬＥ  ＥＮＤパック等としてタイムコード表現のパックを用いるようにする。
【０１９１】
これらのタイムコード表現のパックをアナログＶＴＲ用にアレンジした構成例を図３０に示す。この図に示されるタイムコード表現のパックには、絶対トラック番号表現のＴＩＴＬＥ  ＥＮＤパック、Ｒ／Ｐ  ＳＴＡＲＴ  ＰＯＩＮＴパック、ＴＡＧパック内に格納されている各種のフラグ（ＲＥＣフラグ、ＴＥＸＴフラグ、ＴＴフラグ、ＴＡＧ  ＩＤ、ＳＬフラグ、ＲＥフラグ）が新たに付け加えられており、これによって絶対トラック番号表現のパックと同等の機能を果たすことができるように構成されている。また、この図に示されているＴＡＧパックは、イベントヘッダーとして定義しておく。
【０１９２】
これらのタイムコード表現のパックを使用したタイマー予約のイベントをアナログカセットテープのＭＩＣ内に記録することによって、前述のディジタルＶＴＲの場合と同様の開始位置の制御を行うことができる。なお、ＴＡＰＥ  ＬＥＮＧＴＨパックにはテープの全長をタイムコード表現で格納しておくことにより、このデータとＴＩＴＬＥ  ＥＮＤパックのデータを用いてテープ残量を時間データで算出することができ、また、ユーザーによって指定された開始位置が、予約された録画を行うに十分なテープ残量を持つ位置であるかどうかを判断することもできる。
【０１９３】
以上に説明したディジタルＶＴＲの実施例及びアナログＶＴＲの実施例では、開始位置制御のための情報がすべてパック構造を用いて記録されるようになっているが、勿論、これ以外のデータ形式で情報を記録することも可能であり、回路技術者であれば、種々の設計変更が可能である。更に、テープカセットに搭載する記憶装置も、前述のようなメモリＩＣに限定する必要は無く、データの書き込み消去が可能なものであれば足り、例えば、テープカセットに設けた磁気シート等に記憶するようにしてもよい。
【０１９４】
【発明の効果】
カセットテープの記録容量を簡潔に把握することができる。
記録再生の開始位置をテープカセット自身に記憶させておくことができるので、テープをイジェクトしても設定された位置からの記録再生動作が確実に実行される。
テープ上の最終記録位置或るいは最後記録位置から自動的に記録再生を開始させることができる。その場合、テープカセットに記憶された最後記録位置情報のサーチを簡単に行うことができ、また、最終記録位置から記録動作を開始するときは、サーボの立ち上がりを早くすることができる。
【図面の簡単な説明】
【図１】ＴＩＭＥＲ  ＲＥＣ  ＤＡＴＥパック、ＴＩＭＥＲ  ＲＥＣ  Ｓ／Ｓパック、Ｒ／Ｐ  ＳＴ  ＰＯＩＮＴパック、ＴＡＧパックの構造を説明する図である。
【図２】ＬＡＳＴ  ＲＥＣ  ＰＯＩＮＴのＴＡＧパックのデータと、ＴＩＴＬＥ  ＥＮＤパックのデータとの関係を説明する図である。
【図３】同じくＬＡＳＴ  ＲＥＣ  ＰＯＩＮＴのＴＡＧパックのデータと、ＴＩＴＬＥＥＮＤパックのデータとの関係を説明する図である。
【図４】タイムコード表現のＴＡＧパック、及びＭＡＫＥＲ  ＣＯＤＥパックの構造を説明する図である。
【図５】１フレーム分のＡＡＵＸ領域の構造を説明する図である。
【図６】１トラック分のＶＡＵＸ領域の構造を説明する図である。
【図７】１フレーム分のＶＡＵＸ領域のパック構造を説明する図である。
【図８】５２５／６０システムのディジタルＶＴＲにおけるＳＵＢＣＯＤＥエリアのパックデータの多重書きを説明する図である。
【図９】６２５／５０システムのディジタルＶＴＲにおけるＳＵＢＣＯＤＥエリアのパックデータの多重書きを説明する図である。
【図１０】メモリインカセットのメモリーマップを説明する図である。
【図１１】ディジタルＶＴＲの記録回路を示す図である。
【図１２】ディジタルＶＴＲの記録回路におけるパックデータの生成を説明する図である。
【図１３】記録トラック上のメインエリアを説明する図である。
【図１４】モード処理マイコンにおけるパックデータの生成を説明する図である。
【図１５】ディジタルＶＴＲの再生回路の一部の構成を示す図である。
【図１６】ディジタルＶＴＲの再生回路の他の部分の構成を示す図である。
【図１７】ＶＡＵＸ用ＩＣにおける再生パックデータの処理を説明する図である。
【図１８】信号処理マイコンにおける再生パックデータの処理を説明する図である。
【図１９】ＡＰＴによるトラックフォーマットの定義付けを説明する図である。
【図２０】アプリケーションＩＤの階層構造を説明する図である。
【図２１】アプリケーションＩＤが「０００」の場合のトラック上のフォーマットを説明する図である。
【図２２】ＰＢ  ＳＴＡＲＴ  ＰＯＩＮＴのＴＡＧパックのデータを説明する図である。
【図２３】ＲＥＣ  ＳＴＡＲＴ  ＰＯＩＮＴのＴＡＧパックのデータを説明する図である。
【図２４】タイマー録画予約イベントの構成を示す図である。
【図２５】録画開始位置決定フローを示す図である。
【図２６】録画開始位置決定フローを部分変更例を示す図ある。
【図２７】録画開始位置決定フローの外の部分変更例を示す図ある。
【図２８】タイマー再生予約イベントの構成を示す図である。
【図２９】再生開始位置決定フローを示す図である。
【図３０】アナログＶＴＲに使用する記録再生位置指定用パックの構造を説明する図である。
【図３１】ディジタルＶＴＲの１トラックの記録フォーマットを示す図である。
【図３２】プリＳＹＮＣブロック、及びポストＳＹＮＣブロックの構造を示す図である。
【図３３】ＡＵＤＩＯのフレーミングフォーマット及び１ＳＹＮＣブロックの構造を説明する図である。
【図３４】１フレーム分の画像データのブロッキングを説明する図である。
【図３５】誤り訂正符号が付加されたＶＩＤＥＯのフレーミングフォーマットを示す図である。
【図３６】ＶＩＤＥＯのバッファリングユニット、及び１ＳＹＮＣブロックの構成を示す図である。
【図３７】１トラック分のＳＵＢＣＯＤＥエリアの構造を説明する図である。
【図３８】ＡＵＤＩＯエリア、及びＶＩＤＥＯエリアにおけるＳＹＮＣブロックのＩＤ部の構造を説明する図である。
【図３９】ＳＵＢＣＯＤＥエリアにおけるＳＹＮＣブロックのＩＤ部の構造を説明する図である。
【図４０】パックの基本構造を示す図である。
【図４１】大アイテムによるパックのグループ分けを説明する図である。
【図４２】ＡＡＵＸ  ＳＯＵＲＣＥパック、ＶＡＵＸ  ＳＯＵＲＣＥパックの構造を説明する図である。
【図４３】ＶＡＵＸ  ＳＯＵＲＣＥ  ＣＯＮＴＲＯＬパック、ＶＡＵＸ  ＲＥＣ  ＤＡＴＥパック、ＶＡＵＸ  ＲＥＣ  ＴＩＭＥパック、ＶＡＵＸ  ＲＥＣ  ＴＩＭＥＢＩＮＡＲＹ  ＧＲＯＵＰパック、及びＣＬＯＳＥＤ  ＣＡＰＴＩＯＮパックの構造を説明する図である。
【図４４】ＣＡＳＳＥＴＴＥ  ＩＤパック、ＴＡＰＥ  ＬＥＮＧＴＨパック、ＴＩＴＬＥＥＮＤパックの構造を説明する図である。
【図４５】ＴＡＰＥ  ＬＥＮＧＴＨパックへ格納するデータの生成を説明する図である。
【図４６】ＴＡＰＥ  ＬＥＮＧＴＨパックのデータとＴＩＴＬＥ  ＥＮＤパックのデータとの関係を説明する図である。
【図４７】テープ上に記録される絶対トラック番号を説明する図である。
【符号の説明】
５５，１００…信号処理マイコン、
６７，８２…モード処理マイコン、      ６８，８４…ＭＩＣ
８５…メカ制御マイコン、
【図１】
0003586878.tif 000003
【図２】
0003586878.tif 000004
【図３】
0003586878.tif 000005
【図４】
0003586878.tif 000006
【図５】
0003586878.tif 000007
【図６】
0003586878.tif 000008
【図７】
0003586878.tif 000009
【図８】
0003586878.tif 000010
【図９】
0003586878.tif 000011
【図１０】
0003586878.tif 000012
【図１１】
0003586878.tif 000013
【図１２】
0003586878.tif 000014
【図１３】
0003586878.tif 000015
【図１４】
0003586878.tif 000016
【図１５】
0003586878.tif 000017
【図１６】
0003586878.tif 000018
【図１７】
0003586878.tif 000019
【図１８】
0003586878.tif 000020
【図１９】
0003586878.tif 000021
【図２０】
0003586878.tif 000022
【図２１】
0003586878.tif 000023
【図２２】
0003586878.tif 000024
【図２３】
0003586878.tif 000025
【図２４】
0003586878.tif 000026
【図２６】
0003586878.tif 000027
【図２５】
0003586878.tif 000028
【図２７】
0003586878.tif 000029
【図２８】
0003586878.tif 000030
【図２９】
0003586878.tif 000031
【図３０】
0003586878.tif 000032
【図３１】
0003586878.tif 000033
【図３２】
0003586878.tif 000034
【図３３】
0003586878.tif 000035
【図３４】
0003586878.tif 000036
【図３５】
0003586878.tif 000037
【図３６】
0003586878.tif 000038
【図３７】
0003586878.tif 000039
【図３８】
0003586878.tif 000040
【図３９】
0003586878.tif 000041
【図４０】
0003586878.tif 000042
【図４１】
0003586878.tif 000043
【図４２】
0003586878.tif 000044
【図４３】
0003586878.tif 000045
【図４４】
0003586878.tif 000046
【図４５】
0003586878.tif 000047
【図４６】
0003586878.tif 000048
【図４７】
0003586878.tif 000049